(57)【要約】【課題】画像形成装置本体に装着されたカートリッジがその画像形成装置本体の仕様に対応していないことを、作業者に気付かせることができながら、画像形成装置の小型化を図ることができる画像形成システム、その画像形成システムに用いられるフレーム、および、その画像形成システムに用いられる検知部材を提供すること。【解決手段】  第１仕様で動作する第１装置本体２Ａと、第２仕様で動作する第２装置本体２Ｂと、第１装置本体２Ａのアクチュエータ９２に検知される第１検知突起５７Ａを備える第１現像カートリッジ１１Ａと、第２装置本体２Ｂのアクチュエータ９２に検知される第２検知突起５７Ｂを備える第２現像カートリッジ１１Ｂとを含む画像形成システムにおいて、対応しない現像カートリッジ１１の検知突起５７がアクチュエータ９２に当接しないように構成する。【選択図】図８
2016038518.tif 000002
【特許請求の範囲】
【請求項１】
第１仕様で動作するように構成される第１画像形成装置本体と、
前記第１仕様とは異なる第２仕様で動作するように構成される第２画像形成装置本体と、
前記第１画像形成装置本体または前記第２画像形成装置本体に装着可能であり、前記第１画像形成装置本体または前記第２画像形成装置本体から駆動力を受けて不可逆的に移動し、前記第１画像形成装置本体の第１検知部材に検知されるように構成される第１被検知部を備える第１カートリッジと、
前記第１画像形成装置本体または前記第２画像形成装置本体に装着可能であり、前記第１画像形成装置本体または前記第２画像形成装置本体から駆動力を受けて不可逆的に移動し、前記第２画像形成装置本体の第２検知部材に検知されるように構成される第２被検知部を備える第２カートリッジとを有し、
前記第１画像形成装置本体に前記第１カートリッジが装着された場合における前記第１被検知部の位置と、前記第１画像形成装置本体に前記第２カートリッジが装着された場合における前記第２被検知部の位置とは互いに異なっており、
前記第１検知部材は、前記第１被検知部を検知可能、かつ、前記第２被検知部を検知不能に構成されていることを特徴とする、画像形成システム。
【請求項２】
前記第１カートリッジは、駆動力を受けるように構成される第１駆動受け部と、前記第１駆動受け部から駆動力が伝達されることにより回転するように構成される第１回転体とを備え、
前記第２カートリッジは、駆動力を受けるように構成される第２駆動受け部と、前記第２駆動受け部から駆動力が伝達されることにより回転するように構成される第２回転体とを備え、
前記第１被検知部は、前記第１回転体から駆動力が伝達されることにより、前記第１回転体の回転軸線と平行な軸線方向に不可逆的に移動するように構成され、
前記第２被検知部は、前記第２回転体から駆動力が伝達されることにより、前記第２回転体の回転軸線と平行な軸線方向に不可逆的に移動するように構成されていることを特徴とする、請求項１に記載の画像形成システム。
【請求項３】
前記第１回転体は、前記第１被検知部に前記軸線方向へ向かう力を付与するように構成される、第１作用部を備え、
前記第２回転体は、前記第２被検知部に前記軸線方向へ向かう力を付与するように構成される、第２作用部を備えることを特徴とする、請求項２に記載の画像形成システム。
【請求項４】
前記第１回転体は、前記第１回転体に前記軸線方向へ向かう力を付与するように構成される、第１作用部を備え、
前記第２回転体は、前記第２回転体に前記軸線方向へ向かう力を付与するように構成される、第２作用部を備えることを特徴とする、請求項２に記載の画像形成システム。
【請求項５】
前記第１画像形成装置本体および前記第２画像形成装置本体のそれぞれは、装着された前記第１カートリッジまたは前記第２カートリッジを支持するためのフレームを備え、
前記フレームは、前記第１被検知部に向かい合うように構成される第１開口と、前記第２被検知部に向かい合うように構成される第２開口とを有し、
前記第１画像形成装置本体において、前記第１検知部材は、前記第２開口を開放するとともに前記第１開口を閉鎖するように配置されており、
前記第２画像形成装置本体において、前記第２検知部材は、前記第１開口を開放するとともに前記第２開口を閉鎖するように配置されていることを特徴とする、請求項１〜４のいずれか一項に記載の画像形成システム。
【請求項６】
前記第１検知部材は、
前記第１画像形成装置本体内に回動可能に支持される第１回動軸と、
前記第１開口を閉鎖する第１閉鎖部と
を備え、
前記第２検知部材は、
前記第１回動軸と同じ形状を有し、前記第２画像形成装置本体内に回動可能に支持される第２回動軸と、
前記第２開口を閉鎖する第２閉鎖部と
を備え、
前記第１画像形成装置本体内における前記第１回動軸の相対配置と、前記第２画像形成装置本体内における前記第２回動軸の相対配置とは同じであることを特徴とする、請求項５に記載の画像形成システム。
【請求項７】
前記第１カートリッジは、前記第１被検知部を有する第１被検知体を備え、
前記第２カートリッジは、前記第２被検知部を有する第２被検知体を備え、
前記フレームは、前記第１被検知部または前記第２被検知部の移動方向において、前記第１被検知体または前記第２被検知体に重なる通気口を有することを特徴とする、請求項５または６に記載の画像形成システム。
【請求項８】
前記第１画像形成装置本体は、装着された前記第１カートリッジまたは前記第２カートリッジを支持するための第１フレームを備え、
前記第２画像形成装置本体は、装着された前記第１カートリッジまたは前記第２カートリッジを支持するための第２フレームを備え、
前記第１フレームは、前記第１被検知部に向かい合うように構成される第１開口を有し、
前記第２フレームは、前記第２被検知部に向かい合うように構成される第２開口を有し、
前記第１検知部材および前記第２検知部材は、互いに同一の形状を有し、
前記第１画像形成装置本体内または前記第２画像形成装置本体内に回動可能に支持される回動軸と、
前記第１開口を閉鎖する第１閉鎖部と、
前記第２開口を閉鎖する第２閉鎖部と
を備えることを特徴とする、請求項１〜４のいずれか一項に記載の画像形成システム。
【請求項９】
前記第１カートリッジは、前記第１被検知部を有する第１被検知体を備え、
前記第２カートリッジは、前記第２被検知部を有する第２被検知体を備え、
前記第１フレームおよび前記第２フレームは、前記第１被検知部または前記第２被検知部の移動方向において、前記第１被検知体または前記第２被検知体に重なる通気口を有することを特徴とする、請求項８に記載の画像形成システム。
【請求項１０】
請求項１〜７のいずれか一項に記載の画像形成システムを構成する前記第１画像形成装置本体および前記第２画像形成装置本体のそれぞれに共通して設けられるフレームであって、
前記第１被検知部に向かい合うように構成される第１開口と、
前記第２被検知部に向かい合うように構成される第２開口と
を有することを特徴とする、フレーム。
【請求項１１】
請求項８または９に記載の画像形成システムを構成する前記第１画像形成装置本体および前記第２画像形成装置本体のそれぞれに共通して設けられる検知部材であって、
前記第１画像形成装置本体内または前記第２画像形成装置本体内に回動可能に支持される回動軸と、
前記第１開口を閉鎖する第１閉鎖部と、
前記第２開口を閉鎖する第２閉鎖部と
を有することを特徴とする、検知部材。
【発明の詳細な説明】
【技術分野】
【０００１】
本発明は、電子写真方式が採用される画像形成装置を構成する画像形成システム、その画像形成システムに用いられるフレーム、および、その画像形成システムに用いられる検知部材に関する。
【背景技術】
【０００２】
従来、画像形成装置本体と、画像形成装置本体に対して着脱可能な交換部品とを含む画像形成システムが知られている。
【０００３】
このような画像形成システムにおいて、画像形成装置本体に装着された交換部品の情報、具体的には、現像装置の新旧を画像形成装置の本体部に検知させることが知られている（例えば、下記特許文献１参照）。
【０００４】
また、このような画像形成システムにおいて、画像形成装置本体に適合しない交換部品が装着されることを防止するために、例えば、画像形成装置の開閉部材に、適合するプロセスカートリッジの凸部は嵌合し、適合しないプロセスカートリッジの凸部は嵌合しない凹部を設け、誤って適合しないプロセスカートリッジが画像形成装置本体に装着された場合に、開閉部材が閉まらないように構成することが知られている（例えば、下記特許文献２参照）。
【先行技術文献】
【特許文献】
【０００５】
【特許文献１】特開２０００−２２１７８１号公報
【特許文献２】特開平１０−２２８２２２号公報
【発明の概要】
【発明が解決しようとする課題】
【０００６】
しかし、上記の特許文献１に記載されるような、画像形成装置本体に検知される構成や、特許文献２に記載されるような、画像形成装置本体に適合しない交換部品が装着されることを防止するため構成など、専用の構成を複数設けると、装置構成が複雑化し、画像形成装置の小型化を図ることが困難である。
【０００７】
そこで、本発明の目的は、画像形成装置本体の仕様に対応しないカートリッジが装着されたことを、作業者に気付かせることができながら、画像形成装置の小型化を図ることができる画像形成システム、その画像形成システムに用いられるフレーム、および、その画像形成システムに用いられる検知部材を提供することにある。
【課題を解決するための手段】
【０００８】
（１）本発明の画像形成システムは、第１仕様で動作するように構成される第１画像形成装置本体と、第１仕様とは異なる第２仕様で動作するように構成される第２画像形成装置本体と、第１画像形成装置本体または第２画像形成装置本体に装着可能であり、第１画像形成装置本体または第２画像形成装置本体から駆動力を受けて不可逆的に移動し、第１画像形成装置本体の第１検知部材に検知されるように構成される第１被検知部を備える第１カートリッジと、第１画像形成装置本体または第２画像形成装置本体に装着可能であり、第１画像形成装置本体または第２画像形成装置本体から駆動力を受けて不可逆的に移動し、第２画像形成装置本体の第２検知部材に検知されるように構成される第２被検知部を備える第２カートリッジとを有する。
【０００９】
第１画像形成装置本体に第１カートリッジが装着された場合における第１被検知部の位置と、第１画像形成装置本体に第２カートリッジが装着された場合における第２被検知部の位置とは互いに異なっている。
【００１０】
第１検知部材は、第１被検知部を検知可能、かつ、第２被検知部を検知不能に構成されている。
【００１１】
このような構成によれば、第１画像形成装置本体に対応する第１カートリッジが第１画像形成装置本体に装着された場合、第１カートリッジの第１被検知部は、第１検知部材が検知できる位置に配置され、第１検知部材に検知される。
【００１２】
一方、第１画像形成装置本体に対応しない第２カートリッジが第１画像形成装置本体に装着された場合、第２カートリッジの第２被検知部は、第１カートリッジの第１被検知部と異なる位置、すなわち、第１画像形成装置本体の第１検知部材が検知できない位置に配置され、第１検知部材に検知されない。
【００１３】
そのため、第１画像形成装置本体に対応しない第２カートリッジが第１画像形成装置本体に装着された場合には、第２カートリッジの装着が第１画像形成装置本体に検知されず、第１画像形成装置本体は、第１画像形成装置本体に対応する第１カートリッジが装着された場合と異なる動作を実行する。
【００１４】
その結果、第１画像形成装置本体に対応しない第２カートリッジが第１画像形成装置本体に装着されたことを、作業者に気付かせることができる。
【００１５】
このように、画像形成装置（第１画像形成装置または第２画像形成装置）に検知される被検知部（第１被検知部または第２被検知部）を利用して、画像形成装置本体の仕様に対応しないカートリッジが装着されたことを、作業者に気付かせることができる。
【００１６】
その結果、画像形成装置の構成を簡略化することができ、画像形成装置の小型化を図ることができる。
（２）第１カートリッジは、駆動力を受けるように構成される第１駆動受け部と、第１駆動受け部から駆動力が伝達されることにより回転するように構成される第１回転体とを備えてもよい。第２カートリッジは、駆動力を受けるように構成される第２駆動受け部と、第２駆動受け部から駆動力が伝達されることにより回転するように構成される第２回転体とを備えてもよい。第１被検知部は、第１回転体から駆動力が伝達されることにより第１回転体の回転軸線と平行な軸線方向に不可逆的に移動するように構成されてもよい。第２被検知部は、第２回転体から駆動力が伝達されることにより第２回転体の回転軸線と平行な軸線方向に不可逆的に移動するように構成されてもよい。
【００１７】
このような構成によれば、第１被検知部または第２被検知部を、第１回転体または第２回転体の回転方向に移動させないで、軸線方向にのみ移動させることができる。
【００１８】
そのため、第１被検知部または第２被検知部を、第１回転体または第２回転体の回転軌跡とは関係なく、自由に配置することができる。
【００１９】
そして、第１回転体または第２回転体の回転方向において、第１被検知部の位置と、第２被検知部の位置とを異ならせることにより、第１被検知部と第２被検知部とを異なる位置において、軸線方向に移動させることができる。
【００２０】
その結果、簡易な構成で、第１被検知部を、第１検知部材に検知される位置に配置するとともに、第２被検知部を、第１検知部材に検知されない位置に配置することができる。
（３）第１回転体は、第１被検知部に軸線方向へ向かう力を付与するように構成される、第１作用部を備えてもよい。第２回転体は、第２被検知部に軸線方向へ向かう力を付与するように構成される、第２作用部を備えてもよい。
【００２１】
このような構成によれば、第１カートリッジでは、第１回転体の回転に伴って、第１作用部から付与される力によって第１被検知体を軸線方向に移動させることができる。また、第２カートリッジでは、第２回転体の回転に伴って、第２作用部から付与される力によって第２被検知体を軸線方向に移動させることができる。
【００２２】
そのため、簡易な構成で、第１回転体の回転駆動力を、第１被検知体に伝達することができ。また、簡易な構成で、第２回転体の回転駆動力を、第２被検知体に伝達することができる。
（４）第１回転体は、第１回転体に軸線方向へ向かう力を付与するように構成される、第１作用部を備えてもよい。第２回転体は、第２回転体に軸線方向へ向かう力を付与するように構成される、第２作用部を備えてもよい。
【００２３】
このような構成によれば、第１カートリッジでは、第１回転体の回転に伴って、第１作用部から付与される力によって第１回転体を第１被検知体とともに軸線方向に移動させることができる。また、第２カートリッジでは、第２回転体の回転に伴って、第２作用部から付与される力によって第２回転体を第２被検知体とともに軸線方向に移動させることができる。
【００２４】
そのため、簡易な構成で、第１回転体の回転駆動力を、第１被検知体に伝達することができ。また、簡易な構成で、第２回転体の回転駆動力を、第２被検知体に伝達することができる。
（５）第１画像形成装置本体および第２画像形成装置本体のそれぞれは、装着された第１カートリッジまたは第２カートリッジを支持するためのフレームを備えていてもよい。フレームは、第１被検知部に向かい合うように構成される第１開口と、第２被検知部に向かい合うように構成される第２開口とを有していてもよい。第１画像形成装置本体において、第１検知部材は、第２開口を開放するとともに第１開口を閉鎖するように配置されていてもよい。第２画像形成装置本体において、第２検知部材は、第１開口を開放するとともに第２開口を閉鎖するように配置されていてもよい。
【００２５】
このような構成によれば、第１画像形成装置本体において、第１検知部材は、第２開口を開放するとともに第１開口を閉鎖するように配置されている。
【００２６】
そして、第１画像形成装置本体に対応する第１カートリッジが第１画像形成装置本体に装着された場合、第１カートリッジの第１被検知部は、フレームの第１開口を介して、第１検知部材に向かい合う。
【００２７】
これにより、第１被検知部は、フレームの第１開口を介して、第１検知部材に検知される。
【００２８】
一方、第１画像形成装置本体に対応しない第２カートリッジが第１画像形成装置本体に装着された場合、第２カートリッジの第２被検知部は、第１開口に向かい合わず、第２開口に向かい合う。
【００２９】
そのため、第２被検知部は、第１検知部材に向かい合わず、第１検知部材に検知されない。
【００３０】
その結果、第１画像形成装置本体に対応しない第２カートリッジが第１画像形成装置本体に装着されたことを、作業者に気付かせることができる。
【００３１】
また、同様に、第２画像形成装置本体において、第２検知部材は、第１開口を開放するとともに第２開口を閉鎖するように配置されているので、第２画像形成装置本体に対応しない第１カートリッジが第２画像形成装置本体に装着された場合、第１被検知部は、第２検知部材に検知されない。
【００３２】
その結果、第２画像形成装置本体に対応しない第１カートリッジが第２画像形成装置本体に装着されたことを、作業者に気付かせることができる。
【００３３】
このように、第１画像形成装置本体と第２画像形成装置本体とのフレームの共通化を図ることができながら、画像形成装置本体の仕様に対応しないカートリッジが装着されたことを作業者に気付かせることができる。
（６）第１検知部材は、第１画像形成装置本体内に回動可能に支持される第１回動軸と、第１開口を閉鎖する第１閉鎖部とを備えてもよい。第２検知部材は、第１回動軸と同じ形状を有し、第２画像形成装置本体内に回動可能に支持される第２回動軸と、第２開口を閉鎖する第２閉鎖部とを備えてもよい。この場合、第１画像形成装置本体内における第１回動軸の相対配置と、第２画像形成装置本体内における第２回動軸の相対配置とは同じであってもよい。
【００３４】
このような構成によれば、第１検知部材の第１回動軸と、第２検知部材の第２回動軸とは、同じ形状を有し、第１画像形成装置本体または第２画像形成装置本体の内部において、同じ相対配置で配置されている。
【００３５】
そのため、第１検知部材と第２検知部材とを、第１画像形成装置本体または第２画像形成装置本体の内部において、同じ相対配置で回動させることができる。
【００３６】
その結果、第１検知部材または第２検知部材の周辺において、第１画像形成装置本体と第２画像形成装置本体との構成の共通化を図ることができる。
（７）第１カートリッジは、第１被検知部を有する第１被検知体を備えてもよい。第２カートリッジは、第２被検知部を有する第２被検知体を備えてもよい。フレームは、軸線方向において、第１被検知体または第２被検知体に重なる通気口を有してもよい。
【００３７】
このような構成によれば、上記したように、第１被検知部または第２被検知部は、軸線方向にのみ移動し、軸線方向と交差する方向に移動軌跡を生じない。
【００３８】
そのため、第１被検知部または第２被検知部を避けながら、第１被検知体または第２被検知体に重なる領域を利用して、効率よく通気口を配置することができる。
（８）第１画像形成装置本体は、装着された第１カートリッジまたは第２カートリッジを支持するための第１フレームを備えてもよい。第２画像形成装置本体は、装着された第１カートリッジまたは第２カートリッジを支持するための第２フレームを備えてもよい。第１フレームは、第１被検知部に向かい合うように構成される第１開口を有してもよい。第２フレームは、第２被検知部に向かい合うように構成される第２開口を有してもよい。第１検知部材および第２検知部材は、互いに同一の形状を有し、第１画像形成装置本体内または第２画像形成装置本体内に回動可能に支持される回動軸と、第１開口を閉鎖する第１閉鎖部と、第２開口を閉鎖する第２閉鎖部とを備えてもよい。
【００３９】
このような構成によれば、第１画像形成装置本体において、第１フレームは、第１検知部材の第１閉鎖部によって閉鎖される第１開口を有している。
【００４０】
そのため、第１画像形成装置本体に対応する第１カートリッジが第１画像形成装置本体に装着された場合、第１カートリッジの第１被検知部は、第１フレームの第１開口を介して、第１検知部材の第１閉鎖部に向かい合う。
【００４１】
これにより、第１被検知部は、第１フレームの第１開口を介して、第１検知部材に検知される。
【００４２】
一方、第１画像形成装置本体に対応しない第２カートリッジが第１画像形成装置本体に装着された場合、第２カートリッジの第２被検知部は、第１フレームの第１開口に向かい合わず、第１閉鎖部に向かい合わない。
【００４３】
そのため、第２被検知部は、第１検知部材に検知されない。
【００４４】
その結果、第１画像形成装置本体に対応しない第２カートリッジが第１画像形成装置本体に装着されたことを、作業者に気付かせることができる。
【００４５】
また、同様に、第２画像形成装置本体において、第２フレームは、第２検知部材の第２閉鎖部によって閉鎖される第２開口を有しているので、第２画像形成装置本体に対応しない第１カートリッジが第２画像形成装置本体に装着された場合、第１カートリッジの第１被検知部は、第２閉鎖部に向かい合わず、第２検知部材に検知されない。
【００４６】
その結果、第２画像形成装置本体に対応しない第１カートリッジが第２画像形成装置本体に装着されたことを、作業者に気付かせることができる。
【００４７】
このように、第１画像形成装置本体と第２画像形成装置本体との検知部材の共通化を図ることができながら、画像形成装置本体の仕様に対応しないカートリッジが装着されたことを作業者に気付かせることができる。
（９）第１カートリッジは、第１被検知部を有する第１被検知体を備えてもよい。第２カートリッジは、第２被検知部を有する第２被検知体を備えてもよい。第１フレームおよび第２フレームは、軸線方向において、第１被検知体または第２被検知体に重なる通気口を有してもよい。
【００４８】
このような構成によれば、上記したように、第１被検知部または第２被検知部は、軸線方向にのみ移動し、軸線方向と交差する方向に移動軌跡を生じない。
【００４９】
そのため、第１被検知部または第２被検知部を避けながら、第１被検知体または第２被検知体に重なる領域を利用して、効率よく通気口を配置することができる。
（１０）本発明のフレームは、上記した画像形成システムを構成する第１画像形成装置本体および第２画像形成装置本体のそれぞれに共通して設けられるフレームであって、第１被検知部に向かい合うように構成される第１開口と、第２被検知部に向かい合うように構成される第２開口とを有する。
【００５０】
このような構成によれば、画像形成装置本体の仕様に対応しないカートリッジが装着されたことを作業者に気付かせることができながら、第１画像形成装置本体と第２画像形成装置本体とのフレームの共通化を図ることができる。
（１１）本発明の検知部材は、上記のの画像形成システムを構成する第１画像形成装置本体および第２画像形成装置本体のそれぞれに共通して設けられる検知部材であって、第１画像形成装置本体内または第２画像形成装置本体内に回動可能に支持される回動軸と、第１開口を閉鎖する第１閉鎖部と、第２開口を閉鎖する第２閉鎖部とを有する。
【００５１】
このような構成によれば、画像形成装置本体の仕様に対応しないカートリッジが装着されたことを作業者に気付かせることができながら、第１画像形成装置本体と第２画像形成装置本体との検知部材の共通化を図ることができる。
【発明の効果】
【００５２】
本発明の画像形成システムによれば、画像形成装置本体の仕様に対応しないカートリッジが装着されたことを、作業者に気付かせることができる。
【００５３】
また、本発明のフレームによれば、上記の画像形成システムにおいて、第１画像形成装置本体と第２画像形成装置本体とのフレームの共通化を図ることができる。
【００５４】
また、本発明の検知部材によれば、上記の画像形成システムにおいて、第１画像形成装置本体と第２画像形成装置本体との検知部材の共通化を図ることができる。
【図面の簡単な説明】
【００５５】
【図１】図１は、本発明の画像形成システムにより構成される画像形成装置の中央断面図である。
【図２】図２は、第１現像カートリッジの左後方から見た斜視図である。
【図３】図３Ａは、図２に示す第１現像カートリッジにおいてギアカバーを外した状態を示し、左後方から見た斜視図である。図３Ｂは、図３Ａに示す第１現像カートリッジの左後方から見た分解斜視図である。
【図４】図４Ａは、図３Ａに示す第１被検知体の左下方から見た斜視図である。図４Ｂは、図４Ａに示す第１被検知体の右前方から見た斜視図である。
【図５】図５Ａは、図３Ａに示す第１現像カートリッジの左側面図である。図５Ｂは、図３Ａに示す検知ユニットの左下方から見た斜視図である。
【図６】図６Ａは、図２に示すギアカバーの右下方から見た斜視図である。図６Ｂは、図２のＡ−Ａ断面図である。
【図７】図７Ａは、第２現像カートリッジの左後方から見た斜視図である。図７Ｂは、図７Ａに示す第２現像カートリッジにおいてギアカバーを外した状態を示し、左後方から見た斜視図である。
【図８】図８Ａは、第１画像形成装置の左方のサイドフレームの右側面図である。図８Ｂは、図８Ａに示す左方のサイドフレームの左側面図である。
【図９】図９は、第２画像形成装置の左方のサイドフレームの右側面図である。
【図１０】図１０Ａは、第１現像カートリッジの新品検知動作を説明する説明図であって、アジテータギアの当接リブが欠け歯ギアのボスに当接した状態を示す。図１０Ｂは、図１０Ａに続いて第１現像カートリッジの新品検知動作を説明する説明図であって、欠け歯ギアの歯部がアジテータギアに噛み合った状態を示す。
【図１１】図１１Ａは、図１０Ａおよび図１０Ｂとともに第１現像カートリッジの新品検知動作を説明する説明図であって、第１現像カートリッジの新品検知動作が開始される前の状態であって、第１検知部材が収容位置に位置し、アクチュエータが非検知位置に位置している状態を示す。図１１Ｂは、図１１Ａに続いて第１現像カートリッジの新品検知動作を説明する説明図であって、欠け歯ギアのスライド部が第１検知部材の第１突出部の平行面に当接し、第１検知部材が進出位置に位置して、アクチュエータが検知位置に位置した状態を示す。図１１Ｃは、図１１Ｂに続いて第１現像カートリッジの新品検知動作を説明する説明図であって、欠け歯ギアのスライド部が第１検知部材の第２ベース部の平行面に当接し、第１検知部材が待機位置に位置して、アクチュエータが非検知位置に位置した状態を示す。
【図１２】図１２は、図１１Ｃに続いて第１現像カートリッジの新品検知動作を説明する説明図であって、欠け歯ギアの歯部とアジテータギアとの噛み合いが解除された状態を示す。
【図１３】図１３Ａは、本発明の画像形成システムの第１変形例を説明する説明図であって、第１画像形成装置の左方のサイドフレームの左側面図である。図１３Ｂは、本発明の画像形成システムの第１変形例を説明する説明図であって、第２画像形成装置の左方のサイドフレームの左側面図である。
【図１４】図１４Ａは、本発明の画像形成システムの第２変形例を説明する説明図であって、第１画像形成装置および第２画像形成装置に共通して設けられる左方のサイドフレームの右側面図である。図１４Ｂは、図１４Ａに示す左方のサイドフレームの左側面図であって、第１画像形成装置に設けられた場合を示す。図１４Ｃは、図１４Ａに示す左方のサイドフレームの左側面図であって、第２画像形成装置に設けられた場合を示す。
【図１５】図１５Ａは、現像カートリッジの変形例を説明する説明図であって、欠け歯ギアが変位部を有し、被検知体がスライド部を有する変形例を示す。図１５Ｂは、現像カートリッジの変形例を説明する説明図であって、現像フレームが変位部を有し、欠け歯ギアがスライド部を有する変形例を示す。
【図１６】図１６は、現像カートリッジの変形例を説明する説明図であって、回転体がギア歯を有さない摩擦車からなる変形例を示す。
【発明を実施するための形態】
【００５６】
１．画像形成装置の全体構成
画像形成装置１は、電子写真方式のモノクロプリンタである。
【００５７】
なお、以下の説明において、画像形成装置１の方向に言及するときには、画像形成装置１を水平に載置した状態を上下の基準とする。すなわち、図１の紙面上方が上方であり、紙面下方が下方である。また、図１の紙面右方が前方であり、図１の紙面左方が後方である。また、画像形成装置１を前方から見たときを左右の基準とする。すなわち、図１の紙面手前が左方であり、紙面奥が右方である。左右方向は、軸線方向および移動方向の一例である。
【００５８】
画像形成装置１は、装置本体２と、プロセスカートリッジ３と、スキャナユニット４と、定着ユニット５とを備えている。
【００５９】
装置本体２は、略ボックス形状を有している。装置本体２は、開口部６と、フロントカバー７と、給紙トレイ８と、排紙トレイ９とを有している。
【００６０】
開口部６は、装置本体２の前端部に配置されている。開口部６は、プロセスカートリッジ３の通過を許容するように、装置本体２の内外を前後方向に連通している。
【００６１】
フロントカバー７は、装置本体２の前端部に配置されている。フロントカバー７は、略平板形状を有している。フロントカバー７は、上下方向に延び、その下端部を支点として装置本体２の前壁に揺動可能に支持されている。フロントカバー７は、開口部６を開放または閉鎖するように構成されている。
【００６２】
給紙トレイ８は、装置本体２の底部に配置されている。給紙トレイ８は、用紙Ｐを収容するように構成されている。
【００６３】
排紙トレイ９は、装置本体２の上壁に配置されている。排紙トレイ９は、用紙Ｐが載置されるように、装置本体２の上面から下方へ凹んでいる。
【００６４】
プロセスカートリッジ３は、装置本体２の上下方向略中央に収容されている。プロセスカートリッジ３は、開口部６を介して装置本体２に対して装着または離脱するように構成されている。プロセスカートリッジ３は、ドラムカートリッジ１０と、現像カートリッジ１１とを備えている。
【００６５】
ドラムカートリッジ１０は、感光ドラム１２と、スコロトロン型帯電器１３と、転写ローラ１４とを備えている。
【００６６】
感光ドラム１２は、ドラムカートリッジ１０の後端部に回転可能に支持されている。感光ドラム１２は、左右方向に延びる略円筒形状を有している。
【００６７】
スコロトロン型帯電器１３は、感光ドラム１２の上方において、感光ドラム１２と間隔を隔てて配置されている。
【００６８】
転写ローラ１４は、感光ドラム１２の下方に配置されている。転写ローラ１４は、感光ドラム１２の下端部と接触している。
【００６９】
現像カートリッジ１１は、感光ドラム１２の前方において、ドラムカートリッジ１０に装着されている。現像カートリッジ１１は、現像ローラ１５と、供給ローラ１６と、層厚規制ブレード１７と、トナー収容部１８とを備えている。
【００７０】
現像ローラ１５は、現像カートリッジ１１の後端部に回転可能に支持されている。現像ローラ１５は、左右方向に延びる略円柱形状を有している。現像ローラ１５は、感光ドラム１２の前端部に接触している。
【００７１】
供給ローラ１６は、現像ローラ１５の前下方に配置されている。供給ローラ１６は、現像カートリッジ１１に回転可能に支持されている。供給ローラ１６は、左右方向に延びる略円柱形状を有している。供給ローラ１６は、現像ローラ１５の前下端部に接触している。
【００７２】
層厚規制ブレード１７は、現像ローラ１５の前上方に配置されている。層厚規制ブレード１７は、現像ローラ１５の前端部に接触している。
【００７３】
トナー収容部１８は、供給ローラ１６および層厚規制ブレード１７の前方に配置されている。トナー収容部１８は、トナーを収容するように構成されている。トナー収容部１８は、アジテータ１９を備えている。
【００７４】
アジテータ１９は、トナー収容部１８内に回転可能に支持されている。
【００７５】
スキャナユニット４は、プロセスカートリッジ３の上方に配置されている。スキャナユニット４は、感光ドラム１２に向けて画像データに基づくレーザービームを出射するように構成されている。
【００７６】
定着ユニット５は、プロセスカートリッジ３の後方に配置されている。定着ユニット５は、加熱ローラ２０と、加熱ローラ２０の後下端部に圧接される加圧ローラ２１とを備えている。
【００７７】
画像形成装置１が画像形成動作を開始すると、スコロトロン型帯電器１３は、感光ドラム１２の表面を一様に帯電する。スキャナユニット４は、感光ドラム１２の表面を露光する。これにより、画像データに基づく静電潜像が、感光ドラム１２の表面に形成される。
【００７８】
また、アジテータ１９は、トナー収容部１８内のトナーを撹拌して、供給ローラ１６に供給する。供給ローラ１６は、アジテータ１９によって供給されたトナーを現像ローラ１５に供給する。このとき、トナーは、現像ローラ１５と供給ローラ１６との間で正極性に摩擦帯電され、現像ローラ１５に担持される。層厚規制ブレード１７は、現像ローラ１５に担持されたトナーの層厚を一定厚さに規制する。
【００７９】
そして、現像ローラ１５に担持されたトナーは、感光ドラム１２表面の静電潜像に供給される。これにより、トナー像が、感光ドラム１２の表面に担持される。
【００８０】
用紙Ｐは、給紙トレイ８から、各種ローラの回転により、所定のタイミングで１枚ずつ、感光ドラム１２と転写ローラ１４との間に給紙される。感光ドラム１２表面のトナー像は、用紙Ｐが感光ドラム１２と転写ローラ１４との間を通過するときに、用紙Ｐに転写される。
【００８１】
その後、用紙Ｐは、加熱ローラ２０と加圧ローラ２１との間を通過するときに加熱および加圧される。これにより、用紙Ｐ上のトナー像は、用紙Ｐに熱定着される。その後、用紙Ｐは、排紙トレイ９に排紙される。
２．画像形成システム
上記した画像形成装置１は、互いに異なる仕様で動作する複数種類の一群の画像形成装置１を含む画像形成システムとして用意される場合がある。
【００８２】
この場合、画像形成装置１は、画像形成システム中の複数種類の装置本体２と複数種類の現像カートリッジ１１とから、特定の装置本体２と、その装置本体２に対応する特定の現像カートリッジ１１とを選択的に組み合わせて使用される。
【００８３】
例えば、この実施形態では、画像形成システムは、第１画像形成装置本体の一例としての第１装置本体２Ａ、第２画像形成装置本体の一例としての第２装置本体２Ｂ、第１装置本体２Ａに対応する第１カートリッジの一例としての第１現像カートリッジ１１Ａ、および、第２装置本体２Ｂに対応する第２カートリッジの一例としての第２現像カートリッジ１１Ｂを含む。
【００８４】
第１装置本体２Ａは、第１仕様、例えば、ＡＣ１００Ｖの電源に接続されて動作するように構成されている。
【００８５】
第２装置本体２Ｂは、第１仕様とは異なる第２仕様、例えば、ＡＣ２００Ｖの電源に接続されて動作するように構成されている。
３．第１現像カートリッジ
第１現像カートリッジ１１Ａは、図２に示すように、現像フレーム３１と、駆動部３２とを備えている。
（１）現像フレーム
現像フレーム３１は、図３Ｂに示すように、略ボックス形状を有している。現像フレーム３１は、トナー収容部１８を有し、現像ローラ１５、供給ローラ１６、層厚規制ブレード１７およびアジテータ１９を支持している。現像フレーム３１は、アイドルギア支持軸３０と、欠け歯ギア支持軸３６とを有している。
【００８６】
アイドルギア支持軸３０は、現像フレーム３１の左壁の上端部の前後方向略中央に配置されている。アイドルギア支持軸３０は、現像フレーム３１の左壁から左方へ向かって延びる略円柱形状を有している。アイドルギア支持軸３０は、現像フレーム３１の左壁に一体的に形成されている。
【００８７】
欠け歯ギア支持軸３６は、現像フレーム３１の左壁の後端部に配置されている。欠け歯ギア支持軸３６は、現像フレーム３１の左壁から左方へ延びる略円柱形状を有している。すなわち、欠け歯ギア支持軸３６の中心軸線Ａは、左右方向に延びている。欠け歯ギア支持軸３６の左端部は、開放されている。
（２）駆動部
駆動部３２は、図１および図３Ａに示すように、第１現像カートリッジ１１Ａの左端部において、現像フレーム３１の左方に配置されている。駆動部３２は、ギア列３７と、検知ユニット３８と、ギアカバー３９と、圧縮ばね６３とを備えている。
（２−１）ギア列
ギア列３７は、図３Ａおよび図３Ｂに示すように、第１駆動受け部の一例としての現像カップリング４１と、現像ギア４２と、供給ギア４３と、アイドルギア４４と、アジテータギア４５とを備えている。
【００８８】
現像カップリング４１は、現像カートリッジ１１の後端部に配置されている。現像カップリング４１は、左右方向に延びる略円柱形状を有している。現像カップリング４１は、現像フレーム３１の左壁に一体的に設けられる図示しない支持軸に回転可能に支持されている。現像カップリング４１は、ギア部４６と、カップリング部４７とを備えている。
【００８９】
ギア部４６は、現像カップリング４１の略右半分に配置されている。ギア部４６は、左右方向に延び、左端部が閉鎖された略円筒形状を有している。ギア部４６は、その全周にわたってギア歯を有している。
【００９０】
カップリング部４７は、ギア部４６の左壁から左方へ延び、左端部が開放された略円筒形状を有している。カップリング部４７は、ギア部４６と中心軸線を共有している。カップリング部４７は、１対の突部４７Ａを有している。
【００９１】
１対の突部４７Ａのそれぞれは、カップリング部４７の径方向内方の内部空間４７Ｂ内において、カップリング部４７の径方向に互いに間隔を隔てて配置されている。１対の突部４７Ａのそれぞれは、カップリング部４７の内周面から径方向内方へ突出し、側面視略矩形状を有している。
【００９２】
現像ギア４２は、現像カップリング４１の後下方に配置されている。現像ギア４２は、左右方向に厚みを有する略円板形状を有している。現像ギア４２は、その全周にわたってギア歯を有している。現像ギア４２は、現像ローラ１５の回転軸の左端部に相対回転不能に支持されている。現像ギア４２は、現像カップリング４１のギア部４６の後下端部に噛み合っている。
【００９３】
供給ギア４３は、現像カップリング４１の下方に配置されている。供給ギア４３は、左右方向に厚みを有する略円板形状を有している。供給ギア４３は、その全周にわたって、ギア歯を有している。供給ギア４３は、供給ローラ１６の回転軸の左端部に相対回転不能に支持されている。供給ギア４３は、現像カップリング４１のギア部４６の下端部に噛み合っている。
【００９４】
アイドルギア４４は、現像カップリング４１の前上方に配置されている。アイドルギア４４は、アイドルギア支持軸３０に回転可能に支持されている。アイドルギア４４は、大径ギア４４Ａと、小径ギア４４Ｂとを一体に有している。
【００９５】
大径ギア４４Ａは、アイドルギア４４の右端部に配置されている。大径ギア４４Ａは、左右方向に厚みを有する略円板形状を有している。大径ギア４４Ａは、その全周にわたってギア歯を有している。大径ギア４４Ａは、現像カップリング４１のギア部４６の前上端部に噛み合っている。
【００９６】
小径ギア４４Ｂは、大径ギア４４Ａの左面から左方に向かって延びる略円柱形状を有している。小径ギア４４Ｂは、大径ギア４４Ａと中心軸線を共有している。小径ギア４４Ｂの外径は、大径ギア４４Ａの外径よりも小さい。小径ギア４４Ｂは、その全周にわたってギア歯を有している。
【００９７】
アジテータギア４５は、アイドルギア４４の前下方に配置されている。アジテータギア４５は、アジテータ１９の回転軸の左端部に相対回転不能に支持されている。アジテータギア４５は、図３Ｂおよび図５Ａに示すように、第１ギア部４５Ａと、第２ギア部４５Ｂと、当接リブ４５Ｃとを有している。
【００９８】
第１ギア部４５Ａは、アジテータギア４５の左端部に配置されている。第１ギア部４５Ａは、左右方向に厚みを有する略円板形状を有している。第１ギア部４５Ａは、その全周にわたってギア歯を有している。第１ギア部４５Ａは、アイドルギア４４の小径ギア４４Ｂの前下端部に噛み合っている。
【００９９】
第２ギア部４５Ｂは、第１ギア部４５Ａの右面から右方へ延びる略円筒形状を有している。第２ギア部４５Ｂは、第１ギア部４５Ａと中心軸線を共有している。第２ギア部４５Ｂの外径は、第１ギア部４５Ａの外径よりも小さい。第２ギア部４５Ｂは、その全周にわたってギア歯を有している。第２ギア部４５Ｂは、アイドルギア４４の大径ギア４４Ａに対して間隔を隔てている。
【０１００】
当接リブ４５Ｃは、第２ギア部４５Ｂよりも径方向外方において、第１ギア部４５Ａの右面から右方に向かって突出している。当接リブ４５Ｃは、アジテータギア４５の径方向外方へ向うにつれて左側面視反時計回り方向に傾斜するように延び、略平板形状を有している。
（２−２）検知ユニット
検知ユニット３８は、第１回転体の一例としての欠け歯ギア５１と、第１被検知体５２Ａとを備えている。
（２−２−１）欠け歯ギア
欠け歯ギア５１は、左右方向に厚みを有する略円板形状を有している。欠け歯ギア５１は、歯部５１Ａと、欠け歯部５１Ｂと、挿通穴５１Ｃとを有している。
【０１０１】
歯部５１Ａは、欠け歯ギア５１の周方向において約２／３を占める部分であり、欠け歯ギア５１のうち、中心角約２４０°の側面視略扇形状に相当する部分である。歯部５１Ａは、周面すべてにわたってギア歯を有している。
【０１０２】
欠け歯部５１Ｂは、欠け歯ギア５１の周方向において歯部５１Ａ以外の約１／３を占める部分であり、欠け歯ギア５１のうち、中心角約１２０°の側面視略扇形状に相当する部分である。欠け歯部５１Ｂは、ギア歯を有していない。欠け歯部５１Ｂは、ボス５５と、第１作用部の一例としてのスライド部５４とを備えている。
【０１０３】
ボス５５は、欠け歯部５１Ｂの左側面視反時計回り方向の上流端部に配置されている。ボス５５は、欠け歯部５１Ｂの左面から左方に突出する略円柱形状を有している。
【０１０４】
スライド部５４は、ボス５５よりも径方向内方、かつ、左側面視反時計回り方向の下流に配置されている。スライド部５４は、欠け歯部５１Ｂの左面から左方に突出している。スライド部５４は、欠け歯ギア５１の径方向に延び、その径方向内方端部から連続して左側面視反時計回り方向に延びる側面視略Ｌ字形の屈曲板形状を有している。
【０１０５】
挿通穴５１Ｃは、欠け歯ギア５１の径方向中央に配置されている。挿通穴５１Ｃは、欠け歯ギア５１を左右方向に貫通し、側面視略円形状を有している。挿通穴５１Ｃの内径は、現像フレーム３１の欠け歯ギア支持軸３６の外径とほぼ同じである。
（２−２−２）第１被検知体
第１被検知体５２Ａは、図４Ａおよび図４Ｂに示すように、略円板形状を有している。第１被検知体５２Ａは、筒部６４と、鍔部６５と、第１被検知部の一例としての第１検知突起５７Ａと、変位部５８と、ストッパ６２とを備えている。
【０１０６】
筒部６４は、第１被検知体５２Ａの径方向略中央に配置されている。筒部６４は、外筒６４Ａと、内筒６４Ｂとを有している。
【０１０７】
外筒６４Ａは、左右方向に延び、右端部が閉鎖された略円筒形状を有している。外筒６４Ａは、挿通穴６４Ｃを有している。
【０１０８】
挿通穴６４Ｃは、外筒６４Ａの右壁６４Ｅの径方向中央に配置されている。挿通穴６４Ｃは、外筒６４Ａの右壁６４Ｅを左右方向に貫通し、側面視略円形状を有している。挿通穴６４Ｃの中心は、左右方向に投影したときに外筒６４Ａの中心軸線と一致している。
【０１０９】
内筒６４Ｂは、外筒６４Ａの径方向内方に配置されている。内筒６４Ｂは、外筒６４Ａの右壁６４Ｅの径方向中央において挿通穴６４Ｃの周縁部から連続して左方へ延び、略円筒形状を有している。内筒６４Ｂの中心軸線は、外筒６４Ａの中心軸線と一致している。内筒６４Ｂの内径は、挿通穴６４Ｃの内径と同じである。内筒６４Ｂは、係止突起６４Ｄを有している。
【０１１０】
係止突起６４Ｄは、内筒６４Ｂの径方向両方の内面に１つずつ配置されている。係止突起６４Ｄは、内筒６４Ｂの内面から径方向内方へ突出し、周方向に延びる突条である。
【０１１１】
鍔部６５は、外筒６４Ａの左端部の径方向外面から径方向外方へ突出し、外筒６４Ａの周方向に延びている。鍔部６５は、その後端部が周方向において約１／４にわたって切り欠かれた側面視略Ｃ字形の板形状を有している。
【０１１２】
第１検知突起５７Ａは、鍔部６５の後上端部に配置されている。第１検知突起５７Ａは、鍔部６５の左面から左方へ突出し、第１被検知体５２Ａの径方向に延びる略平板形状を有している。第１検知突起５７Ａの径方向外端部Ｅは、鍔部６５よりも径方向外方に突出している。
【０１１３】
変位部５８は、鍔部６５の周縁部に配置されている。変位部５８は、鍔部６５の周縁部の右面から右方へ突出し、鍔部６５の周方向に延びる側面視略Ｃ字形の平板形状を有している。変位部５８は、第１突出部６７、第２ベース部６８および第２突出部６９を有している。
【０１１４】
第１突出部６７は、変位部５８において左側面視反時計回り方向の上流端部に配置されている。第１突出部６７は、第１傾斜面６７Ａと、平行面６７Ｂと、第２傾斜面６７Ｃとを有している。
【０１１５】
第１傾斜面６７Ａは、鍔部６５の右面に連続し、左側面視反時計回り方向へ向かうにつれて右方へ傾斜している。
【０１１６】
平行面６７Ｂは、第１傾斜面６７Ａの左側面視反時計回り方向下流に連続し、左側面視反時計回り方向に延びている。平行面６７Ｂは、鍔部６５の右面からの左右方向距離が一定となるように、鍔部６５の右面と平行している。
【０１１７】
第２傾斜面６７Ｃは、平行面６７Ｂの左側面視反時計回り方向下流に連続し、左側面視反時計回り方向へ向かうにつれて左方へ傾斜している。
【０１１８】
第２ベース部６８は、第１突出部６７の左側面視反時計回り方向下流に連続して配置されている。第２ベース部６８は、平行面６８Ａを有している。
【０１１９】
平行面６８Ａは、第２傾斜面６７Ｃの左側面視反時計回り方向下流に連続し、左側面視反時計回り方向に延びている。平行面６８Ａは、鍔部６５の右面からの左右方向距離が一定となるように、鍔部６５の右面と平行している。
【０１２０】
第２突出部６９は、第２ベース部６８の左側面視反時計回り方向下流に連続して配置されている。第２突出部６９は、第１傾斜面６９Ａと、平行面６９Ｂと、第２傾斜面６９Ｃとを有している。
【０１２１】
第１傾斜面６９Ａは、第２ベース部６８の平行面６８Ａに連続し、左側面視反時計回り方向へ向かうにつれて右方へ傾斜している。
【０１２２】
平行面６９Ｂは、第１傾斜面６９Ａの左側面視反時計回り方向下流に連続し、左側面視反時計回り方向に延びている。平行面６９Ｂは、鍔部６５の右面からの左右方向距離が一定となるように、鍔部６５の右面と平行している。
【０１２３】
第２傾斜面６９Ｃは、平行面６９Ｂの左側面視反時計回り方向下流に連続し、左側面視反時計回り方向へ向かうにつれて左方へ傾斜している。
【０１２４】
ストッパ６２は、鍔部６５の左側面視反時計回り方向上流端部に配置されている。ストッパ６２は、第１突出部６７の左側面視反時計回り方向上流に、間隔を隔てて向かい合っている。ストッパ６２は、鍔部６５の右面から右方へ突出し、底面視略Ｌ字形の屈曲板形状を有している。
（２−３）ギアカバーおよび圧縮ばね
ギアカバー３９は、図１および図６Ａに示すように、現像フレーム３１の左端部に支持されている。ギアカバー３９は、左右方向に延び、左端部が閉鎖された略角筒形状を有している。ギアカバー３９は、ギア列３７および検知ユニット３８を被覆している。ギアカバー３９は、カップリングカラー８１と、検知部材収容部８２とを備えている。
【０１２５】
カップリングカラー８１は、ギアカバー３９の後端部に配置されている。カップリングカラー８１は、ギアカバー３９の左壁を貫通し、左右方向に延びる略円筒形状を有している。カップリングカラー８１の内径は、現像カップリング４１のカップリング部４７の外径とほぼ同じである。現像カップリング４１のカップリング部４７は、カップリングカラー８１内に回転可能に嵌まっている。
【０１２６】
検知部材収容部８２は、ギアカバー３９の前端部に配置されている。検知部材収容部８２は、ギアカバー３９の左面から左方に延び、左端部が閉鎖された略円筒形状を有している。なお、検知部材収容部８２の右端部は、ギアカバー３９の内部に連通している。検知部材収容部８２は、第１被検知体５２Ａを収容している。検知部材収容部８２は、スリット７１と、ガイドリブ７２と、支持軸７３とを有している。
【０１２７】
スリット７１は、検知部材収容部８２の後上端部に配置されている。スリット７１は、検知部材収容部８２の左壁８２Ａを左右方向に貫通し、検知部材収容部８２の径方向に延びている。
【０１２８】
ガイドリブ７２は、スリット７１の周縁部に配置されている。ガイドリブ７２は、１対の第１ガイド部７２Ａと、第２ガイド部７２Ｂとを備えている。
【０１２９】
１対の第１ガイド部７２Ａのそれぞれは、スリット７１の上端部を挟むように、検知部材収容部８２の周方向に間隔を隔てて配置されている。１対の第１ガイド部７２Ａのそれぞれは、検知部材収容部８２の後上端部において周壁８２Ｂの径方向内面から前下方へ突出し、左右方向に延びる略平板形状を有している。１対の第１ガイド部７２Ａのそれぞれの左端部は、スリット７１の上端部の周縁部に連続している。
【０１３０】
第２ガイド部７２Ｂは、１対の第１ガイド部７２Ａのそれぞれの下方に連続して配置されている。第２ガイド部７２Ｂは、スリット７１の周縁部において検知部材収容部８２の左壁８２Ａの右面から右方へ突出し、スリット７１を囲むように側面視略Ｕ字形状を有している。第２ガイド部７２Ｂの左右方向寸法は、第１ガイド部７２Ａの左右方向寸法よりも短い。
【０１３１】
支持軸７３は、検知部材収容部８２の左壁８２Ａの径方向中央から右方へ延びる略円柱形状を有している。支持軸７３の外径は、第１被検知体５２Ａの挿通穴６４Ｃの内径と同じである。支持軸７３は、ガイド溝７４と、係止爪７５と、突部７８とを有している。
【０１３２】
ガイド溝７４は、支持軸７３の前後方向両方の外周面に１つずつ形成されている。ガイド溝７４は、支持軸７３の外周面から径方向内方へ凹み、左右方向に延びている。
【０１３３】
係止爪７５は、ガイド溝７４の右端部内に配置されている。係止爪７５は、ガイド溝７４の径方向内面から径方向外方へ向って突出している。係止爪７５の径方向外面は、左方へ向かうにつれて径方向外方へ傾斜している。
【０１３４】
突部７８は、支持軸７３の右端部に配置されている。突部７８は、支持軸７３の右面から右方へ突出し、右方へ向かうにつれて小径となるように絞られた略円柱形状を有している。突部７８は、現像フレーム３１の欠け歯ギア支持軸３６（図６Ｂ参照）の左端部内に嵌まる。
【０１３５】
圧縮ばね６３は、図３Ａおよび図６Ｂに示すように、左右方向に延びるコイルばねである。圧縮ばね６３の左端部は、ギアカバー３９の検知部材収容部８２の左壁８２Ａに当接する。圧縮ばね６３の右端部は、第１被検知体５２Ａの外筒６４Ａの右壁６４Ｅに当接する。これにより、圧縮ばね６３は、第１被検知体５２Ａを、常には、現像フレーム３１に向かうように右方へ付勢する。
（２−４）検知ユニットの組み付け状態
以下、検知ユニット３８の組み付け状態を説明する。
【０１３６】
欠け歯ギア５１は、図６Ｂに示すように、現像フレーム３１の欠け歯ギア支持軸３６に回転可能に支持されている。現像フレーム３１の欠け歯ギア支持軸３６は、欠け歯ギア５１の挿通穴５１Ｃ内に相対回転可能に嵌まっている。
【０１３７】
第１被検知体５２Ａは、ギアカバー３９の支持軸７３に、左右方向に移動可能に支持されている。第１検知突起５７Ａの径方向外端部Ｅは、ギアカバー３９の１対の第１ガイド部７２Ａの間に配置される。また、第１検知突起５７Ａの左端部は、ギアカバー３９のスリット７１内に配置される。
【０１３８】
また、ギアカバー３９の支持軸７３は、第１被検知体５２Ａの挿通穴６４Ｃおよび内筒６４Ｂ内に嵌まっている。なお、第１被検知体５２Ａの係止突起６４Ｄ（図４Ａ参照）は、係止爪７５よりも左方において、ガイド溝７４（図６Ａ参照）内に嵌まっている。これにより、第１被検知体５２Ａは、右方へのそれ以上の移動が規制される。
【０１３９】
そして、現像カートリッジ１１が未使用、すなわち新品の状態において、第１被検知体５２Ａは、第１検知突起５７Ａがギアカバー３９内に収容された収容位置に位置している。
【０１４０】
この状態において、欠け歯ギア５１の歯部５１Ａの左側面視反時計回り方向下流端部は、図５Ａに示すように、アジテータギア４５の第２ギア部４５Ｂの前上方に間隔を隔てて配置されている。このときの欠け歯ギア５１の位置が、駆動開始位置である。
【０１４１】
また、図５Ｂに示すように、欠け歯ギア５１のスライド部５４は、第１被検知体５２Ａのストッパ６２の前方において、第１傾斜面６７Ａの後方に向かい合っている。
３．第２現像カートリッジ
上記した第１現像カートリッジ１１Ａでは、第１検知突起５７Ａは、鍔部６５の後上端部に配置されている。
【０１４２】
対して、第２現像カートリッジ１１Ｂでは、図７Ａおよび図７Ｂに示すように、第２被検知体５２Ｂは、鍔部６５の前上端部に第２被検知部の一例としての第２検知突起５７Ｂを備えている。
【０１４３】
第２検知突起５７Ｂは、鍔部６５の左面から左方へ突出し、第２被検知体５２Ｂの径方向に延びる略平板形状を有している。
【０１４４】
なお、第２被検知体５２Ｂは、第２検知突起５７Ｂの配置以外の構成において、第１被検知体５２Ａと同じである。
【０１４５】
また、第２現像カートリッジ１１Ｂでは、スリット７１は、第２検知突起５７Ｂに対応して、検知部材収容部８２の前上端部に配置されている。
【０１４６】
なお、第２現像カートリッジ１１Ｂは、第２検知突起５７Ｂおよびスリット７１の配置以外の構成において、第１現像カートリッジ１１Ａと同じである。
【０１４７】
また、第２現像カートリッジ１１Ｂの現像カップリング４１は、第２駆動受け部の一例である。また、第２現像カートリッジ１１Ｂの欠け歯ギア５１は、第２回転体の一例である。また、第２現像カートリッジ１１Ｂの第２被検知体５２Ｂのスライド部５４は、第２作用部の一例である。
４．第１装置本体
第１装置本体２Ａは、図１１Ａに示すように、第１フレームの一例としての第１サイドフレーム８６Ａと、本体カップリング９０（図２参照）と、光学式センサ９１と、第１検知部材および検知部材の一例としてのアクチュエータ９２と、制御部９３とを備えている。第１装置本体２Ａのアクチュエータ９２は、第１検知部材の一例である。
【０１４８】
第１サイドフレーム８６Ａは、第１装置本体２Ａ内において、現像カートリッジ１１を挟むように、左右方向に互いに間隔を隔てて、１対、配置されている。１対の第１サイドフレーム８６Ａのそれぞれは、装着された現像カートリッジ１１の左右方向両端部のそれぞれを支持する。なお、以下の説明では、アクチュエータ９２が支持さえる左方の第１サイドフレーム８６Ａについて詳細に説明し、右方の第１サイドフレーム８６Ａについての説明を省略する。また、以下の説明において、第１サイドフレーム８６Ａと記載した場合には、左方の第１サイドフレーム８６Ａを意味するものとする。
【０１４９】
第１サイドフレーム８６Ａは、現像カートリッジ１１の左方に配置されている。第１サイドフレーム８６Ａは、図８Ａに示すように、上下方向および前後方向に延びる略平板形状を有している。第１サイドフレーム８６Ａは、カップリング挿通穴９７と、第１開口の一例としての第１検知開口９８Ａと、複数の通気口９９とを有している。
【０１５０】
カップリング挿通穴９７は、第１装置本体２Ａに第１現像カートリッジ１１Ａが装着されたときに現像カップリング４１に向かい合うように、配置されている。カップリング挿通穴９７は、側面視略円形状を有している。カップリング挿通穴９７は、第１サイドフレーム８６Ａを左右方向に貫通している。
【０１５１】
第１検知開口９８Ａは、第１装置本体２Ａに第１現像カートリッジ１１Ａが装着されたときに第１現像カートリッジ１１Ａのスリット７１を介して第１検知突起５７Ａに向かい合うように、カップリング挿通穴９７の前上方に配置されている。第１検知開口９８Ａは、後上方と前下方とを結ぶ方向に延びる側面視略矩形状を有している。第１検知開口９８Ａは、第１サイドフレーム８６Ａを左右方向に貫通している。
【０１５２】
複数の通気口９９は、第１装置本体２Ａに第１現像カートリッジ１１Ａが装着されたときに検知部材収容部８２の下半分に向かい合うように、第１検知開口９８Ａの下方に配置されている。言い換えると、複数の通気口９９は、左右方向に投影したときに、第１被検知体５２Ａの下半分に重なる。複数の通気口９９のそれぞれは、左右方向に延びる側面視略直線形状を有している。複数の通気口９９のそれぞれは、上下方向および前後方向に互いに間隔を隔てて並んで配置されている。複数の通気口９９のそれぞれは、第１サイドフレーム８６Ａを左右方向に貫通している。
【０１５３】
本体カップリング９０は、カップリング挿通穴９７に向かい合うように、第１サイドフレーム８６Ａの左方に配置されている。本体カップリング９０は、図２に示すように、左右方向に延びる略円柱形状を有している。本体カップリング９０は、装置本体２のフロントカバー７の開閉に連動して、フロントカバー７が開放されたときに、現像カートリッジ１１から離れるように左方へ退避し、フロントカバー７が閉鎖されたときに、現像カートリッジ１１へ向かって右方へ進出する。本体カップリング９０は、係合軸９０Ａを備えている。
【０１５４】
係合軸９０Ａは、本体カップリング９０の右端部に配置されている。係合軸９０Ａは、本体カップリング９０の右端部から右方へ突出する略円柱形状を有している。係合軸９０Ａは、本体カップリング９０が現像カートリッジ１１に向かって進出したときに、現像カップリング４１のカップリング部４７の内部空間４７Ｂ内に挿入される。係合軸９０Ａは、１対の係合突起９０Ｂを有している。
【０１５５】
１対の係合突起９０Ｂのそれぞれは、係合軸９０Ａの径方向両面のそれぞれから径方向外方へ延びる側面視略矩形の柱形状を有している。１対の係合突起９０Ｂのそれぞれは、係合軸９０Ａがカップリング部４７の内部空間４７Ｂ内に挿入されたときに、カップリング部４７の１対の突部４７Ａのそれぞれに向かい合う。
【０１５６】
光学式センサ９１は、図１１Ａに示すように、現像カートリッジ１１の左上方に位置するように、第１サイドフレーム８６Ａの左方に配置されている。光学式センサ９１は、前後方向に互いに間隔を隔てて向かい合う発光素子および受光素子を有している。発光素子は、常時、受光素子に向かって検出光を発光している。受光素子は、発光素子からの検出光を受光する。光学式センサ９１は、受光素子が検出光を受光したときには、受光信号を発信し、受光素子が検出光を受光しないときには、受光信号を発信しない。光学式センサ９１は、制御部９３に電気的に接続されている。
【０１５７】
アクチュエータ９２は、光学式センサ９１の右方に配置されている。アクチュエータ９２は、光学式センサ９１の検出光を遮光する非検知位置（１１Ａ参照）と、光学式センサ９１の検出光を遮光しない検知位置（図１１Ｂ参照）とに回動可能である。アクチュエータ９２は、図示しない付勢部材により、常には、非検知位置に向かって付勢されている。以下のアクチュエータ９２の説明において、方向に言及するときには、アクチュエータ９２が非検知位置に位置している状態を基準とする。アクチュエータ９２は、図８Ｂおよび図１１Ａに示すように、第１回動軸の一例としての回動軸９４と、被押圧部９５と、遮光部９６とを備えている。
【０１５８】
回動軸９４は、前後方向に延びる略円柱形状を有している。回動軸９４は、その前後方向両端部において、第１サイドフレーム８６Ａの左面に回動可能に支持されている。
【０１５９】
被押圧部９５は、回動軸９４の下方に配置されている。被押圧部９５は、連結部９５Ａと、第１閉鎖部９５Ｂと、第２閉鎖部９５Ｃとを備えている。
【０１６０】
連結部９５Ａは、回動軸９４の前後方向略中央から下方へ延びている。連結部９５Ａは、正面視略矩形の平板形状を有している。
【０１６１】
第１閉鎖部９５Ｂは、連結部９５Ａの下端部の後面から後方へ延びている。第１閉鎖部９５Ｂは、側面視略矩形の平板形状を有している。第１閉鎖部９５Ｂは、第１検知開口９８Ａを閉鎖するように、第１検知開口９８Ａの左方に向かい合っている。
【０１６２】
第２閉鎖部９５Ｃは、連結部９５Ａの下端部の前面から前方へ延びている。第２閉鎖部９５Ｃは、側面視略矩形の平板形状を有している。第２閉鎖部９５Ｃは、第１検知開口９８Ａに対して前方にずれて配置され、第１サイドフレーム８６Ａの左面に向かい合っている。
【０１６３】
遮光部９６は、回動軸９４の前後方向略中央よりも少し後方から左上方へ延びている。遮光部９６は、正面視略矩形の平板形状を有している。遮光部９６の左上端部は、アクチュエータ９２が非検知位置（図１１Ａ参照）に位置しているときに、光学式センサ９１の発光素子と受光素子との間に位置し、アクチュエータ９２が検知位置（図１１Ｂ参照）に位置しているときに、光学式センサ９１の発光素子と受光素子との間から右方へ退避する。
【０１６４】
制御部９３は、特定用途向け集積回路（ＡＳＩＣ）を備える回路基板を有し、装置本体２内に配置されている。また、制御部９３は、現像ローラ１５の回転数をカウントするように構成されており、現像ローラ１５の回転数が所定の回転数になったときに、第１装置本体２Ａに接続されるパーソナルコンピュータのディスプレイなどに現像カートリッジ１１の交換を促す表示をする。
５．第２装置本体
上記した第１装置本体２Ａは、第１検知開口９８Ａを有する第１サイドフレーム８６Ａを備えている。
【０１６５】
対して、第２装置本体２Ｂは、図９Ａに示すように、第１サイドフレーム８６Ａの代わりに、第２フレームの一例としての第２サイドフレーム８６Ｂを備えている以外は、第１装置本体２Ａと同様に構成されている。
【０１６６】
第２サイドフレーム８６Ｂは、第１検知開口９８Ａの代わりに、第２開口の一例としての第２検知開口９８Ｂを備えている以外は、第１サイドフレーム８６Ａと同様に構成されている。
【０１６７】
第２検知開口９８Ｂは、第２装置本体２Ｂに第２現像カートリッジ１１Ｂが装着されたときに、第２現像カートリッジ１１Ｂのスリット７１を介して第２検知突起５７Ｂに向かい合うように、第１検知開口９８Ａよりも前方に配置されている。第２検知開口９８Ｂは、前上方と後下方とを結ぶ方向に延びる側面視略矩形状を有している。第２検知開口９８Ｂは、第２サイドフレーム８６Ｂを左右方向に貫通している。
【０１６８】
第２装置本体２Ｂのアクチュエータ９２は、第２検知部材の一例である。詳しくは、第２装置本体２Ｂのアクチュエータ９２は、第１装置本体２Ａのアクチュエータ９２と同じ形状を有している。また、第２装置本体２Ｂのアクチュエータ９２は、第１装置本体２Ａ内におけるアクチュエータ９２の相対配置と同じ相対配置で、第２装置本体２Ｂ内に配置されている。第２装置本体２Ｂのアクチュエータ９２の回動軸９４は、第２回動軸の一例である。
６．検知動作
（１）対応する現像カートリッジが装着された場合
図１および図２を参照して、第１装置本体２Ａに対応する第１現像カートリッジ１１Ａが第１装置本体２Ａに装着された場合、フロントカバー７が閉鎖されると、フロントカバー７の閉動作に連動して、本体カップリング９０（図２参照）が現像カップリング４１（図２参照）に相対回転不能に嵌まる。
【０１６９】
その後、制御部９３は、画像形成装置１のウォームアップ動作を開始する。
【０１７０】
画像形成装置１のウォームアップ動作が開始されると、本体カップリング９０の係合突起９０Ｂが、現像カップリング４１の突部４７Ａに係合する。
【０１７１】
すると、第１装置本体２Ａから本体カップリング９０を介して現像カップリング４１に駆動力が入力され、図３Ａに示すように、現像カップリング４１が左側面視時計回り方向に回転する。
【０１７２】
すると、現像ギア４２、供給ギア４３およびアイドルギア４４は、左側面視反時計回り方向に回転する。これにより、現像ローラ１５および供給ローラ１６は、左側面視反時計回り方向に回転する。
【０１７３】
また、アイドルギア４４が回転すると、アジテータギア４５は左側面視時計回り方向に回転する。これにより、アジテータ１９は、左側面視時計回り方向に回転する。
【０１７４】
アジテータギア４５が回転すると、図１０Ａに示すように、当接リブ４５Ｃは、アジテータギア４５の回転に伴って左側面視時計回り方向に移動する。すると、当接リブ４５Ｃは、欠け歯ギア５１のボス５５に後上方から当接し、ボス５５を前下方に向かって押圧する。
【０１７５】
これにより、欠け歯ギア５１は、欠け歯ギア支持軸３６の中心軸線Ａを回転中心として左側面視反時計回り方向に回転し、図１０Ｂに示すように、歯部５１Ａの左側面視反時計回り方向下流端部のギア歯において、アジテータギア４５の第２ギア部４５Ｂの前上端部に噛み合う。なお、欠け歯ギア支持軸３６の中心軸線Ａは、欠け歯ギア５１の回転軸線の一例である。
【０１７６】
すると、アジテータギア４５から欠け歯ギア５１に駆動力が伝達され、欠け歯ギア５１は、左側面視反時計回り方向に回転する。以下、左側面視反時計回り方向を回転方向Ｒと記載する。
【０１７７】
すると、図５Ｂを参照して、欠け歯ギア５１のスライド部５４は、第１被検知体５２Ａの第１突出部６７の第１傾斜面６７Ａに回転方向Ｒの上流から当接する。
【０１７８】
ここで、上記したように、第１検知突起５７Ａの径方向外端部Ｅは、ギアカバー３９の１対の第１ガイド部７２Ａ（図６Ａ参照）の間に配置されている。また、第１被検知体５２Ａの係止突起６４Ｄは、ギアカバー３９のガイド溝７４（図６Ａ参照）内に嵌まっている。
【０１７９】
これにより、第１検知突起５７Ａは、その径方向外端部Ｅが回転方向Ｒの下流の第１ガイド部７２Ａに当接すること、および、係止突起６４Ｄがガイド溝７４の回転方向Ｒの内面に当接することにより、回転方向Ｒへのそれ以上の回転が規制される。
【０１８０】
そして、欠け歯ギア５１がさらに回転すると、スライド部５４は、第１突出部６７の第１傾斜面６７Ａを、回転方向Ｒに摺動しながら左方へ押圧する。これにより、第１被検知体５２Ａは、回転が規制された状態で、圧縮ばね６３の付勢力に抗して、現像フレーム３１から離れるように徐々に左方へ移動する。
【０１８１】
すると、図１１Ａおよび図１１Ｂに示すように、第１検知突起５７Ａは、スリット７１を介して左方へ進出し、第１サイドフレーム８６Ａの第１検知開口９８Ａを介して、アクチュエータ９２の第１閉鎖部９５Ｂに対して右方から当接する。
【０１８２】
そして、欠け歯ギア５１がさらに回転すると、第１検知突起５７Ａは、さらに左方へ進出して、第１閉鎖部９５Ｂを左方に向かって押圧する。すると、アクチュエータ９２は、非検知位置から、正面視時計回り方向に揺動する。
【０１８３】
そして、図１１Ｂに示すように、スライド部５４が第１突出部６７の平行面６７Ｂに当接したときに、第１検知突起５７Ａは、最も左方へ進出する。
【０１８４】
このとき、アクチュエータ９２は、検知位置に位置する。遮光部９６は、光学式センサ９１の発光素子と受光素子との間から右方へ退避する。これにより、光学式センサ９１の受光素子が検知光を受光し、光学式センサ９１は、受光信号を出力する。
【０１８５】
すると、制御部９３は、ウォームアップ動作を開始した後、所定の時間内に光学式センサ９１からの受光信号を受信したことにより、未使用（新品）の第１現像カートリッジ１１Ａが装着されたと判断する。これにより、制御部９３は、カウントした現像ローラ１５の回転数をリセットし、現像カートリッジ１１の交換を促す表示を消す。
【０１８６】
次いで、欠け歯ギア５１がさらに回転すると、スライド部５４は、第１突出部６７の第２傾斜面６７Ｃに当接し、第２傾斜面６７Ｃを回転方向Ｒに摺動する。すると、第１被検知体５２Ａは、回転が規制された状態で、圧縮ばね６３の付勢力によって、現像フレーム３１に近づくように右方へ移動する。
【０１８７】
そして、欠け歯ギア５１がさらに回転すると、図１１Ｃに示すように、スライド部５４が第２ベース部６８の平行面６８Ａに当接したときに、第１検知突起５７Ａがギアカバー３９よりも左方へわずかに進出した状態で、第１被検知体５２Ａのそれ以上の右方への移動が停止する。このとき、第１検知突起５７Ａの左端部は、第１検知開口９８Ａ内に配置されている。
【０１８８】
これにより、第１検知突起５７Ａは、ギアカバー３９内へ退避し、アクチュエータ９２の第１閉鎖部９５Ｂから右方へ離間する。すると、アクチュエータ９２は、検知位置から正面視反時計回りに揺動し、非検知位置に位置する。遮光部９６は、光学式センサ９１の発光素子と受光素子との間に位置する。これにより、光学式センサ９１の受光素子が検知光を受光せず、光学式センサ９１は、受光信号の出力を停止する。
【０１８９】
次いで、欠け歯ギア５１がさらに回転すると、スライド部５４は、第１被検知体５２Ａの第２ベース部６８の平行面６８Ａを回転方向Ｒに摺動した後、第１被検知体５２Ａの第２突出部６９に当接する。
【０１９０】
そして、欠け歯ギア５１がさらに回転すると、スライド部５４は、第２突出部６９の第１傾斜面６９Ａ、平行面６９Ｂおよび第２傾斜面６９Ｃを順次摺動する。これにより、第１被検知体５２Ａは、進出位置に位置した後、退避位置に位置する。また、光学式センサ９１は、２回目の受光信号を出力し、その後、２回目の受光信号の出力を停止する。
【０１９１】
次いで、欠け歯ギア５１がさらに回転すると、図１２に示すように、欠け歯ギア５１は、欠け歯ギア５１の歯部５１Ａがアジテータギア４５の第２ギア部４５Ｂから離間することにより、停止する。なお、欠け歯ギア５１は、停止した後、その位置で回転が規制されるように構成されている。すなわち、欠け歯ギア５１は、ウォームアップ動作が開始された後、不可逆的に回転する。また、第１検知突起５７Ａは、ウォームアップ動作が開始された後、欠け歯ギア５１が駆動している間、左右方向に進退移動し、その後、欠け歯ギア５１の停止とともに停止する。つまり、第１検知突起５７Ａは、ウォームアップ動作が開始された後、左右方向に進退移動し、停止する。その後、第１検知突起５７Ａは、停止した状態で維持され、左右方向への進退移動を繰り返さない。すなわち、第１検知突起５７Ａは、ウォームアップ動作が開始された後、不可逆的に進退移動する。
【０１９２】
ここで、制御部９３は、受光信号を受光した回数に基づいて、現像カートリッジの仕様、例えば、最大画像形成枚数を判断することもできる。
【０１９３】
具体的には、制御部９３は、ウォームアップ動作を開始した後、受光信号を２回受信した場合には、最大画像形成枚数が３０００枚の現像カートリッジ１１が装置本体２に装着されたと判断し、受光信号を１回受信した場合には、最大画像形成枚数が６０００枚の現像カートリッジ１１が装置本体２に装着されたと判断する。
【０１９４】
なお、受光信号を１回とするには、例えば、第１被検知体５２Ａの変位部５８を、第１突出部６７または第２突出部６９のいずれか一方のみを有するように構成する。
【０１９５】
上記の検知動作は、第２装置本体２Ｂに対応する第２現像カートリッジ１１Ｂが第２装置本体２Ｂに装着された場合も同様である。
（２）対応していない現像カートリッジが装着された場合
第１装置本体２Ａに対応していない第２現像カートリッジ１１Ｂが第１装置本体２Ａに装着された場合、第２現像カートリッジ１１Ｂの第２検知突起５７Ｂは、第１装置本体２Ａ内において、第１検知開口９８Ａよりも前方にずれて配置される。すなわち、第１装置本体２Ａに第２現像カートリッジ１１Ｂが装着された場合における第２検知突起５７Ｂの位置は、第１装置本体２Ａに第１現像カートリッジ１１Ａが装着された場合における第１検知突起５７Ａの位置とは異なっている。
【０１９６】
そして、上記したように、画像形成装置１のウォームアップ動作が開始されると、第２被検知体５２Ｂが徐々に左方へ移動し、第２検知突起５７Ｂが、スリット７１を介して左方へ進出する。
【０１９７】
すると、第２検知突起５７Ｂは、第１検知開口９８Ａの前方において第１サイドフレーム８６Ａに当接し、アクチュエータ９２の第１閉鎖部９５Ｂには当接しない。
【０１９８】
そのため、第１装置本体２Ａに対応していない第２現像カートリッジ１１Ｂが第１装置本体２Ａに装着された場合には、ウォームアップ動作を開始した後、アクチュエータ９２は、揺動せず、非検知位置に位置する。また、光学式センサ９１は、受光信号を出力しない。
【０１９９】
すると、制御部９３は、ウォームアップ動作を開始した後、所定の時間が経過した後に、使用済みまたは使用途中（旧品）の第１現像カートリッジ１１Ａが装着されたと判断する。これにより、制御部９３は、カウントした現像ローラ１５の回転数をリセットせず、現像カートリッジ１１の交換を促す表示を維持する。
【０２００】
すると、第２現像カートリッジ１１Ｂを第１装置本体２Ａに装着した作業者は、現像カートリッジ１１の交換を促す表示が消えないことから、第１装置本体２Ａに誤って第２現像カートリッジ１１Ｂを装着したことに気付くことができる。
【０２０１】
なお、第２装置本体２Ｂに対応しない第１現像カートリッジ１１Ａが第２装置本体２Ｂに装着された場合も同様である。
７．作用効果
（１）この画像形成システムによれば、第１装置本体２Ａに対応する第１現像カートリッジ１１Ａが第１装置本体２Ａに装着された場合、図１１Ａおよび図１１Ｂに示すように、第１現像カートリッジ１１Ａの第１検知突起５７Ａは、第１装置本体２Ａの第１検知開口９８Ａに向かい合うように配置され、第１装置本体２Ａのアクチュエータ９２に当接する。
【０２０２】
一方、第１装置本体２Ａに対応しない第２現像カートリッジ１１Ｂが第１装置本体２Ａに装着された場合、第２現像カートリッジ１１Ｂの第２検知突起５７Ｂは、図３Ａおよび図７Ｂに示すように、第１現像カートリッジ１１Ａの第１検知突起５７Ａよりも前方に配置されている。そのため、第２現像カートリッジ１１Ｂの第２検知突起５７Ｂは、第１装置本体２Ａの第１検知開口９８Ａに向かい合わず、第１装置本体２Ａのアクチュエータ９２に当接しない。
【０２０３】
そのため、第１装置本体２Ａに対応しない第２現像カートリッジ１１Ｂが第１装置本体２Ａに装着された場合には、第２現像カートリッジ１１Ｂの装着が第１装置本体２Ａに検知されず、第１装置本体２Ａに対応する第１現像カートリッジ１１Ａが装着された場合と異なり、現像カートリッジ１１の交換を促す表示が維持される。
【０２０４】
その結果、第１装置本体２Ａに対応しない第２現像カートリッジ１１Ｂが第１装置本体２Ａに装着されたことを、作業者に気付かせることができる。
【０２０５】
また、同様に、第２装置本体２Ｂに対応する第２現像カートリッジ１１Ｂが第２装置本体２Ｂに装着された場合、第２現像カートリッジ１１Ｂの第２検知突起５７Ｂは、第２装置本体２Ｂの第２検知開口９８Ｂに向かい合うように配置され、第２装置本体２Ｂのアクチュエータ９２に当接する。
【０２０６】
一方、第２装置本体２Ｂに対応しない第１現像カートリッジ１１Ａが第２装置本体２Ｂに装着された場合、第１現像カートリッジ１１Ａの第１検知突起５７Ａは、第２現像カートリッジ１１Ｂの第２検知突起５７Ｂよりも後方に配置され、第２装置本体２Ｂの第２検知開口９８Ｂに向かい合わず、第２装置本体２Ｂのアクチュエータ９２に当接しない。
【０２０７】
そのため、第２装置本体２Ｂに対応しない第１現像カートリッジ１１Ａが第２装置本体２Ｂに装着された場合には、第１現像カートリッジ１１Ａの装着が第２装置本体２Ｂに検知されず、第２装置本体２Ｂに対応する第２現像カートリッジ１１Ｂが装着された場合と異なり、現像カートリッジ１１の交換を促す表示が維持される。
【０２０８】
その結果、第２装置本体２Ｂに対応しない第１現像カートリッジ１１Ａが第２装置本体２Ｂに装着されたことを、作業者に気付かせることができる。
【０２０９】
このように、装置本体２（第１装置本体２Ａまたは第２装置本体２Ｂ）に検知される検知突起５７（第１検知突起５７Ａまたは第２検知突起５７Ｂ）を利用して、装置本体２に対応しない現像カートリッジ１１が装着されたことを、作業者に気付かせることができる。
【０２１０】
その結果、画像形成装置１の構成を簡略化することができ、画像形成装置１の小型化を図ることができる。
（２）この画像形成システムによれば、図１１Ａおよび図１１Ｂに示すように、第１検知突起５７Ａまたは第２検知突起５７Ｂを、欠け歯ギア５１の回転方向Ｒに移動させないで、左右方向にのみ移動させることができる。
【０２１１】
そのため、第１検知突起５７Ａまたは第２検知突起５７Ｂを、欠け歯ギア５１の回転軌跡とは関係なく、自由に配置することができる。
【０２１２】
そして、欠け歯ギア５１の回転方向Ｒにおいて、第１検知突起５７Ａと第２検知突起５７Ｂとを前後方向にずらして配置することにより、第１検知突起５７Ａと第２検知突起５７Ｂとを、前後方向に異なる位置において、左右方向に移動させることができる。
【０２１３】
その結果、簡易な構成で、第１検知突起５７Ａを、第１装置本体２Ａの第１検知開口９８Ａに向かい合う位置に配置するとともに、第２検知突起５７Ｂを、第１装置本体２Ａの第１検知開口９８Ａに向かい合わない位置に配置することができる。
（３）この画像形成システムによれば、図１１Ａおよび図１１Ｂに示すように、第１現像カートリッジ１１Ａでは、欠け歯ギア５１の回転に伴って、スライド部５４から付与される力によって第１被検知体５２Ａを左右方向に移動させることができる。また、同様に、第２現像カートリッジ１１Ｂでも、欠け歯ギア５１の回転に伴って、スライド部５４から付与される力によって第２被検知体５２Ｂを左右方向に移動させることができる。
【０２１４】
そのため、簡易な構成で、欠け歯ギア５１の回転駆動力を、第１被検知体５２Ａまたは第２被検知体５２Ｂに伝達することができる。
（４）この画像形成システムによれば、図８Ｂおよび図９に示すように、第１装置本体２Ａおよび第２装置本体２Ｂには、同じアクチュエータ９２が、同じ相対配置で設けられている。
【０２１５】
そのため、第１装置本体２Ａまたは第２装置本体２Ｂの内部において、それぞれのアクチュエータ９２を、同じ相対配置で回動させることができる。
【０２１６】
その結果、光学式センサ９１など、アクチュエータ９２の周辺の構成を、第１装置本体２Ａと第２装置本体２Ｂとの間で共通化を図ることができる。
（５）この画像形成システムによれば、図８Ａおよび図９に示すように、第１検知開口９８Ａまたは第２検知開口９８Ｂの下方に通気口９９が配置されている。つまり、通気口９９は、左右方向において、第１被検知体５２Ａまたは第２被検知体５２Ｂや、欠け歯ギア５１と重なるように配置されている。
【０２１７】
ここで、第１検知突起５７Ａまたは第２検知突起５７Ｂは、左右方向にのみ移動し、左右方向と交差する方向、例えば、欠け歯ギア５１の回転方向には移動軌跡を生じない。
【０２１８】
そのため、第１検知突起５７Ａまたは第２検知突起５７Ｂを避けながら、第１被検知体５２Ａまたは第２被検知体５２Ｂや、欠け歯ギア５１に重なる領域を利用して、アクチュエータ９２および光学式センサ９１の下方周辺に効率よく通気口９９を配置することができる。
（６）この画像形成システムによれば、図８Ｂに示すように、第１装置本体２Ａおよび第２装置本体２Ｂは、同じアクチュエータ９２を備えている。第１装置本体２Ａでは、第１サイドフレーム８６Ａは、第１検知開口９８Ａを有し、アクチュエータ９２の第１閉鎖部９５Ｂが、第１検知開口９８Ａに向かい合っている。
【０２１９】
そのため、第１装置本体２Ａに対応する第１現像カートリッジ１１Ａが第１装置本体２Ａに装着された場合、第１現像カートリッジ１１Ａの第１検知突起５７Ａは、第１サイドフレーム８６Ａの第１検知開口９８Ａを介して、アクチュエータ９２の第１閉鎖部９５Ｂに向かい合う。
【０２２０】
これにより、第１検知突起５７Ａは、図１１Ｂに示すように、第１サイドフレーム８６Ａの第１検知開口９８Ａを介して、アクチュエータ９２に当接する。
【０２２１】
すると、制御部９３は、カウントした現像ローラ１５の回転数をリセットし、現像カートリッジ１１の交換を促す表示を消す。
【０２２２】
一方、第１装置本体２Ａに対応しない第２現像カートリッジ１１Ｂが第１装置本体２Ａに装着された場合、第２現像カートリッジ１１Ｂの第２検知突起５７Ｂは、第１検知開口９８Ａに対して前方にずれて配置される。
【０２２３】
そのため、第２現像カートリッジ１１Ｂの第２検知突起５７Ｂは、第１検知開口９８Ａに向かい合わず、アクチュエータ９２に当接しない。
【０２２４】
すると、制御部９３は、カウントした現像ローラ１５の回転数をリセットせず、現像カートリッジ１１の交換を促す表示を維持する。
【０２２５】
その結果、作業者は、第１装置本体２Ａに対応しない第２現像カートリッジ１１Ｂが第１装置本体２Ａに装着されたことに気付くことができる。
【０２２６】
また、同様に、第２装置本体２Ｂでは、第２サイドフレーム８６Ｂは、第２検知開口９８Ｂを有し、アクチュエータ９２の第２閉鎖部９５Ｃが、第２検知開口９８Ｂに向かい合っている。
【０２２７】
そして、第２装置本体２Ｂに対応しない第１現像カートリッジ１１Ａが第２装置本体２Ｂに装着された場合、第１現像カートリッジ１１Ａの第１検知突起５７Ａは、第２検知開口９８Ｂに対して後方にずれて配置され、第１検知開口９８Ａに向かい合わず、アクチュエータ９２に当接しない。
【０２２８】
そのため、制御部９３は、カウントした現像ローラ１５の回転数をリセットせず、現像カートリッジ１１の交換を促す表示を維持する。
【０２２９】
その結果、作業者は、第２装置本体２Ｂに対応しない第１現像カートリッジ１１Ａが第２装置本体２Ｂに装着されたことに気付くことができる。
【０２３０】
このように、第１装置本体２Ａと第２装置本体２Ｂとにおいてアクチュエータ９２の共通化を図ることができながら、装置本体２の仕様に対応しない現像カートリッジ１１が装着されたことを作業者に気付かせることができる。
（７）このアクチュエータ９２によれば、図８Ｂに示すように、第１装置本体２Ａおよび第２装置本体２Ｂのそれぞれに共通して設けられ、第１装置本体２Ａに装備された場合に第１検知開口９８Ａを閉鎖する第１閉鎖部９５Ｂと、第２装置本体２Ｂに装備された場合に第２検知開口９８Ｂを閉鎖する第２閉鎖部９５Ｃとを有する。
【０２３１】
そのため、上記したように、装置本体２の仕様に対応しない現像カートリッジ１１が装着されたことを作業者に気付かせることができながら、第１装置本体２Ａと第２装置本体２Ｂとのアクチュエータ９２の共通化を図ることができる。
８．変形例
以下、本発明の変形例を説明する。なお、以下の説明において、上記した実施形態と同じ部材には同じ符号を付し、その説明を省略する。
（１）第１変形例
上記した実施形態では、第１装置本体２Ａと第２装置本体２Ｂとの両方で、共通のアクチュエータ９２を使用している。
【０２３２】
対して、第１変形例では、図１３Ａおよび図１３Ｂに示すように、第１装置本体２Ａに、第１閉鎖部９５Ｂを有し、第２閉鎖部９５Ｃを有さない第１アクチュエータ９２Ａを設け、第２装置本体２Ｂに、第１閉鎖部９５Ｂを有さず、第２閉鎖部９５Ｃを有する第２アクチュエータ９２Ｂを設ける。
【０２３３】
第１アクチュエータ９２Ａは、第２閉鎖部９５Ｃを有さない以外は、上記した実施形態のアクチュエータ９２と同様に構成されている。
【０２３４】
第２アクチュエータ９２Ｂは、第１閉鎖部９５Ｂを有さない以外は、上記した実施形態のアクチュエータ９２と同様に構成されている。
【０２３５】
第１変形例においても、上記した実施形態と同様の作用効果を得ることができる。
（２）第２変形例
上記した実施形態では、第１装置本体２Ａに、第１検知開口９８Ａを有し、第２検知開口９８Ｂを有さない第１サイドフレーム８６Ａを設け、第２装置本体２Ｂに、第１検知開口９８Ａを有さず、第２検知開口９８Ｂを有する第２サイドフレーム８６Ｂを設けている。また、第１装置本体２Ａと第２装置本体２Ｂとの両方で、共通のアクチュエータ９２を使用し、第１装置本体２Ａでは、第１閉鎖部９５Ｂで第１検知開口９８Ａを閉鎖し、第２装置本体２Ｂでは、第２閉鎖部９５Ｃで第２検知開口９８Ｂを閉鎖している。
【０２３６】
対して、第２変形例では、図１４Ａに示すように、第１装置本体２Ａおよび第２装置本体２Ｂの両方に、第１検知開口９８Ａと第２検知開口９８Ｂとを有する共通のフレームの一例としてのサイドフレーム８６を設ける。また、第２変形例では、図１４Ｂおよび図１４Ｃに示すように、上記した第１変形例と同様に、第１装置本体２Ａに、第１閉鎖部９５Ｂを有し、第２閉鎖部９５Ｃを有さない第１アクチュエータ９２Ａを設け、第２装置本体２Ｂに、第１閉鎖部９５Ｂを有さず、第２閉鎖部９５Ｃを有する第２アクチュエータ９２Ｂを設ける。
【０２３７】
第２変形例によれば、第１装置本体２Ａでは、第１検知開口９８Ａは、第１アクチュエータ９２Ａの第１閉鎖部９５Ｂで閉鎖される。一方、第２検知開口９８Ｂは、開放されている。
【０２３８】
そして、第１装置本体２Ａに対応する第１現像カートリッジ１１Ａが第１装置本体２Ａに装着された場合、第１現像カートリッジ１１Ａの第１検知突起５７Ａは、サイドフレーム８６の第１検知開口９８Ａを介して、第１アクチュエータ９２Ａの第１閉鎖部９５Ｂに向かい合う。
【０２３９】
これにより、第１検知突起５７Ａは、サイドフレーム８６の第１検知開口９８Ａを介して、第１アクチュエータ９２Ａの第１閉鎖部９５Ｂに当接する。
【０２４０】
すると、制御部９３は、カウントした現像ローラ１５の回転数をリセットし、現像カートリッジ１１の交換を促す表示を消す。
【０２４１】
一方、第１装置本体２Ａに対応しない第２現像カートリッジ１１Ｂが第１装置本体２Ａに装着された場合、第２現像カートリッジ１１Ｂの第２検知突起５７Ｂは、第１検知開口９８Ａに向かい合わず、第２検知開口９８Ｂに向かい合う。そのため、第２検知突起５７Ｂは、第１アクチュエータ９２Ａの第１閉鎖部９５Ｂに当接しない。
【０２４２】
この場合、制御部９３は、カウントした現像ローラ１５の回転数をリセットせず、現像カートリッジ１１の交換を促す表示を維持する。
【０２４３】
その結果、作業者は、第１装置本体２Ａに対応しない第２現像カートリッジ１１Ｂが第１装置本体２Ａに装着されたことに気付く。
【０２４４】
また、同様に、第２装置本体２Ｂでは、第２検知開口９８Ｂは、第２アクチュエータ９２Ｂの第２閉鎖部９５Ｃで閉鎖される。一方、第１検知開口９８Ａは、開放されている。
【０２４５】
そのため、第２装置本体２Ｂに対応しない第１現像カートリッジ１１Ａが第２装置本体２Ｂに装着された場合、第１検知突起５７Ａは、第２アクチュエータ９２Ｂの第２閉鎖部９５Ｃに当接しない。
【０２４６】
この場合にも、制御部９３は、カウントした現像ローラ１５の回転数をリセットせず、現像カートリッジ１１の交換を促す表示を維持する。
【０２４７】
その結果、作業者は、第２装置本体２Ｂに対応しない第１現像カートリッジ１１Ａが第２装置本体２Ｂに装着されたことに気付く。
【０２４８】
このように、第１装置本体２Ａと第２装置本体２Ｂとのサイドフレーム８６の共通化を図ることができながら、装置本体２の仕様に対応しない現像カートリッジ１１が装着されたことを作業者に気付かせることができる。
【０２４９】
また、第２変形例のサイドフレーム８６によれば、第１装置本体２Ａおよび第２装置本体２Ｂのそれぞれに共通して設けら、第１検知突起５７Ａに向かい合う第１検知開口９８Ａと、第２検知突起５７Ｂに向かい合う第２検知開口９８Ｂとを有する。
【０２５０】
そのため、装置本体２の仕様に対応しない現像カートリッジ１１が装着されたことを作業者に気付かせることができながら、第１装置本体２Ａと第２装置本体２Ｂとのサイドフレーム８６の共通化を図ることができる。
【０２５１】
また、第２変形例においても、上記した実施形態と同様の作用効果を得ることができる。
【０２５２】
また、上記した第２変形例では、装置本体２の第１仕様および第２仕様に応じて、第１検知開口９８Ａと第２検知開口９８Ｂとを２つ設けているが、検知開口９８の数は、特に限定されず、装置本体２の仕様の数に応じて、適宜、３つ以上とすることもできる。
（３）変位部に関する変形例
上記した実施形態では、１つの変位部５８に複数の突出部を設けているが、例えば、２つの変位部５８を被検知体５２の径方向に重ねて配置し、それぞれ突出部を設けることもできる。
【０２５３】
上記した実施形態では、変位部５８が被検知体５２に設けられており、スライド部５４が欠け歯ギア５１に設けられている。しかし、図１５Ａに示すように、変位部５８を欠け歯ギア５１に設け、スライド部５４を被検知体５２に設けることもできる。
【０２５４】
また、図１５Ｂに示すように、変位部５８を現像フレーム３１に設け、スライド部５４を欠け歯ギア５１に設けることもできる。スライド部５４は、変位部５８からの反力を受けて、欠け歯ギア５１自体を左方へ向かって移動させる。
【０２５５】
このような構成によれば、欠け歯ギア５１の回転に伴って、欠け歯ギア５１を被検知体５２とともに左右方向に移動させることができる。
【０２５６】
そのため、簡易な構成で、欠け歯ギア５１の回転駆動力を、被検知体５２に伝達することができる。
【０２５７】
これらの変形例においても、上記した実施形態と同様の作用効果を得ることができる。
（４）駆動伝達に関する変形例
上記した実施形態では、第１回転体または第２回転体の一例として欠け歯ギア５１を挙げたが、回転体は、ギアに限られない。
【０２５８】
例えば、回転体は、ギア歯を有さない摩擦車などから構成することもできる。
【０２５９】
詳しくは、図１６に示すように、アジテータギア４５の第２ギア部４５Ｂにおいて、ギア歯に代えて、少なくとも外周面がゴムなどの摩擦係数が比較的大きい材料からなる第１抵抗付与部材１２３を設けるとともに、欠け歯ギア５１において、ギア歯に代えて、少なくとも外周面がゴムなどの摩擦係数が比較的大きい材料からなる第２抵抗付与部材１２２を設け、抵抗付与部材同士の摩擦により駆動力を伝達することもできる。
【０２６０】
また、この場合、アジテータギア４５の第２ギア部４５Ｂは、ギア歯を有する構成とし、欠け歯ギア５１のギア歯のみ、外周面がゴムなどの摩擦係数が比較的大きい材料からなる第２抵抗付与部材１２２に代えてもよい。
【０２６１】
この変形例においても、上記した実施形態と同様の作用効果を得ることができる。
（６）その他の変形例
上記した実施形態では、駆動受け部の一例として、現像カップリング４１を挙げたが、駆動受け部は、現像カップリング４１のような軸継手に限定されず、例えば、ギアでもよい。
【０２６２】
また、上記した実施形態では、カートリッジの一例として、現像ローラ１５を有する現像カートリッジ１１を挙げたが、カートリッジは、例えば、現像ローラ１５や供給ローラ１６を有さず、トナー収容部１８のみを有するトナーカートリッジとして構成することもできる。
【０２６３】
また、上記した実施形態では、現像フレーム３１の左右方向両側壁は、それぞれ前後方向に延びている。しかし、現像フレーム３１の左右方向両側壁の少なくとも一方は、前後方向に対して傾斜する方向に延びていてもよい。
【０２６４】
また、上記した実施形態では、欠け歯ギア支持軸３６を現像フレーム３１に設けているが、トナーを充填するためのトナー充填口を現像フレーム３１に設け、欠け歯ギア支持軸３６を、トナー充填口を閉鎖するキャップに設けてもよい。
【０２６５】
また、上記した実施形態では、アイドルギア支持軸３０を現像フレーム３１に一体的に設けているが、アイドルギア支持軸３０は、現像フレーム３１と別体でもいい。
【０２６６】
また、上記した実施形態では、現像カップリング４１を支持する図示しない支持軸を現像フレーム３１に一体的に設けているが、現像カップリング４１を支持する図示しない支持軸は、現像フレーム３１と別体でもいい。
【０２６７】
また、上記した実施形態では、第１被検知体５２Ａに対応する最大画像形成枚数を３０００枚に設定している。
【０２６８】
しかし、第１被検知体５２Ａに対応する最大画像形成枚数は、適宜設定できる。例えば、第１被検知体５２Ａに対応する最大画像形成枚数を６０００枚に設定することもできる。
【０２６９】
上記した実施形態では、制御部９３は、現像ローラ１５の回転数をカウントしたが、たとえば、アジテータ１９の回転数をカウントすることもでき、また、トナー収容部１８内のトナーの残量を計測してもよい。この場合、制御部９３は、未使用（新品）の現像カートリッジ１１が装着されたと判断したときに、アジテータ１９の回転数や、トナー収容部１８内のトナーの残量の計測値をリセットする。
【０２７０】
上記した実施形態では、第１検知突起５７Ａと第２検知突起５７Ｂとの相対配置を異ならせることにより、第１装置本体２Ａに対応する第１現像カートリッジ１１Ａと、第２装置本体２Ｂに対応する第２現像カートリッジ１１Ｂとを識別しているが、他の識別方法と組み合わせることもできる。
【０２７１】
例えば、互いに異なる仕様で動作する４種類の装置本体２、すなわち、第１装置本体２Ａ、第２装置本体２Ｂ、第３装置本体２Ｃおよび第４装置本体２Ｄと、４種類の装置本体２のそれぞれに対応する４種類の現像カートリッジ１１、すなわち、第１現像カートリッジ１１Ａ、第２現像カートリッジ１１Ｂ、第３現像カートリッジ１１Ｃおよび第４現像カートリッジ１１Ｄとを含む画像形成システムの場合を説明する。
【０２７２】
例えば、第１装置本体２Ａおよび第２装置本体２Ｂのそれぞれは、第１本体カップリング９０１を有する。第１装置本体２Ａは、上記した実施形態と同じ第１サイドフレーム８６Ａを有する。第２装置本体２Ｂは、上記した実施形態と同じ第２サイドフレーム８６Ｂを有する。
【０２７３】
また、第３装置本体２Ｃおよび第４装置本体２Ｄのそれぞれは、第１本体カップリング９０１と異なる形状を有する第２本体カップリング９０２を有する。第３装置本体２Ｃは、上記した実施形態と同じ第１サイドフレーム８６Ａを有する。第４装置本体２Ｄは、上記した実施形態と同じ第２サイドフレーム８６Ｂを有する。
【０２７４】
また、第１現像カートリッジ１１Ａおよび第２現像カートリッジ１１Ｂのそれぞれは、第１本体カップリング９０１に係合可能であり、第２本体カップリング９０２に係合不能な第１現像カップリング４１Ａを有する。第１現像カートリッジ１１Ａは、上記した実施形態と同じ第１被検知体５２Ａを有する。第２現像カートリッジ１１Ｂは、上記した実施形態と同じ第２被検知体５２Ｂを有する。
【０２７５】
また、第３現像カートリッジ１１Ｃおよび第４現像カートリッジ１１Ｄのそれぞれは、第１本体カップリング９０１に係合不能であり、第２本体カップリング９０２に係合可能な第２現像カップリング４１Ｂを有する。第３現像カートリッジ１１Ｃは、上記した実施形態と同じ第１被検知体５２Ａを有する。第４現像カートリッジ１１Ｄは、上記した実施形態と同じ第２被検知体５２Ｂを有する。
【０２７６】
そして、第１装置本体２Ａまたは第２装置本体２Ｂに第３現像カートリッジ１１Ｃまたは第４現像カートリッジ１１Ｄが装着された場合、第１本体カップリング９０１に第２現像カップリング４１Ｂが係合せず、現像カートリッジ１１が駆動しない。また、第３装置本体２Ｃまたは第４装置本体２Ｄに第１現像カートリッジ１１Ａまたは第２現像カートリッジ１１Ｂが装着された場合、第２本体カップリング９０２に第１現像カップリング４１Ａが係合せず、現像カートリッジ１１が駆動しない。
【０２７７】
これにより、作業者は、装置本体２に対応しない現像カートリッジ１１が装着されたことに気付く。
【０２７８】
また、第１装置本体２Ａに第２現像カートリッジ１１Ｂが装着された場合、第２装置本体２Ｂに第１現像カートリッジ１１Ａが装着された場合、第３装置本体２Ｃに第４現像カートリッジ１１Ｄが装着された場合、および、第４装置本体２Ｄに第３現像カートリッジ１１Ｃが装着された場合には、上記した実施形態と同様に、検知突起５７とアクチュエータ９２との当接が検知されないことにより、現像カートリッジ１１の交換を促す表示が消えない。
【０２７９】
これにより、作業者は、装置本体２に対応しない現像カートリッジ１１が装着されたことに気付く。
【０２８０】
また、上記した実施形態では、第１検知突起５７Ａおよび第２検知突起５７Ｂは、第１被検知体５２Ａおよび第２被検知体５２Ｂの移動とともに、欠け歯ギア支持軸３６の中心軸線Ａに沿って移動しているが、第１検知突起５７Ａおよび第２検知突起５７Ｂの移動方向は、中心軸線Ａとほぼ平行に移動していればよく、例えば、設計上の寸法公差などに起因して、中心軸線Ａに対してわずかに傾斜しながら移動してもよい。
【０２８１】
上記した実施形態および各変形例は、互いに組み合わせることができる。
【符号の説明】
【０２８２】
２Ａ    第１装置本体
２Ｂ    第２装置本体
１１Ａ  第１現像カートリッジ
１１Ｂ  第２現像カートリッジ
４１    現像カップリング
４１Ａ  第１現像カップリング
４１Ｂ  第２現像カップリング
５１    欠け歯ギア
５２Ａ  第１被検知体
５２Ｂ  第２被検知体
５４    スライド部
５７Ａ  第１検知突起
５７Ｂ  第２検知突起
８６    サイドフレーム
８６Ａ  第１サイドフレーム
８６Ｂ  第２サイドフレーム
９２Ａ  第１のアクチュエータ
９２Ｂ  第２のアクチュエータ
９４    回動軸
９５Ｂ  第１閉鎖部
９５Ｃ  第２閉鎖部
９８Ａ  第１検知開口
９８Ｂ  第２検知開口
９９    通気口
Ａ      中心軸線
【図１】
2016038518.tif 000003
【図２】
2016038518.tif 000004
【図３】
2016038518.tif 000005
【図４】
2016038518.tif 000006
【図５】
2016038518.tif 000007
【図６】
2016038518.tif 000008
【図７】
2016038518.tif 000009
【図８】
2016038518.tif 000010
【図９】
2016038518.tif 000011
【図１０】
2016038518.tif 000012
【図１１】
2016038518.tif 000013
【図１２】
2016038518.tif 000014
【図１３】
2016038518.tif 000015
【図１４】
2016038518.tif 000016
【図１５】
2016038518.tif 000017
【図１６】
2016038518.tif 000018